(57)【要約】  ユーザ装置（ＵＥ）が適切な測定対象からのパラメータを利用して、無線通信ネットワークにおいてセル品質導出を実行することを可能にするためのシステムおよび方法が本明細書で開示される。いくつかの実施形態では、無線通信ネットワークにおいてセル品質導出を実行するためのＵＥの動作方法は、サービングセルのサービングセル設定において提供される周波数情報に一致する周波数情報を含む測定対象からＵＥのサービングセルのためのセル品質導出を実行するためのパラメータを取得することを含む。この方法は、取得されたパラメータに基づいて、サービングセルのためのセル品質導出を実行することをさらに含む。このようにして、ＵＥは、適切な測定対象からのパラメータを使用してセル品質導出を実行することが可能になる。【選択図】図６
2021520669.tif 000002
【特許請求の範囲】
【請求項１】
無線通信ネットワークにおいてセル品質導出を実行するためのユーザ装置（ＵＥ）の動作方法であって、
前記ＵＥのサービングセルに対するセル品質導出を実行するためのパラメータを、前記サービングセルのサービングセル設定において提供される周波数情報に一致する周波数情報を含む測定対象から、取得すること（６０２）と、
前記取得されたパラメータに基づいて前記サービングセルに対するセル品質導出を実行すること（６０４）、を含む方法。
【請求項２】
請求項１に記載の方法であって、
前記ＵＥは、前記無線通信ネットワークによって、１つ以上の測定対象を用いて設定され、 
前記ＵＥによって前記サービングセルに対するセル品質導出を実行するための前記パラメータが取得される前記測定対象は、前記１つ以上の測定対象の中からの特定の測定対象である、方法。
【請求項３】
請求項１または２に記載の方法であって、前記周波数情報は、測定される、またはチャネル状態情報参照信号（ＣＳＩ−ＲＳ）に対する同期ソースとして使用される、同期信号/物理ブロードキャストチャネルブロック（ＳＳＢ）の周波数位置を示す情報である、方法。
【請求項４】
請求項１または２に記載の方法であって、前記周波数情報は、測定されるチャネル状態情報参照信号（ＣＳＩ−ＲＳ）の周波数位置、または前記ＣＳＩ−ＲＳが物理リソースブロック（ＰＲＢ）グリッド内のどこに位置するかを特定するために役立つ参照周波数を示す情報である、方法。
【請求項５】
請求項１または２に記載の方法であって、
前記測定対象に含まれる前記周波数情報は、前記測定対象に従って行われる測定に使用される同期信号/物理ブロードキャストチャネルブロック（ＳＳＢ）の絶対周波数であり、
前記サービングセルの前記サービングセル設定において提供される前記周波数情報は、前記サービングセルに使用されるＳＳＢの絶対周波数である、方法。
【請求項６】
請求項１に記載の方法であって、
前記ＵＥは、前記無線通信ネットワークによって、１つ以上の測定対象を用いて設定され、前記１つ以上の測定対象の各測定対象は、前記ＵＥがセル品質導出を実行することを可能にするパラメータを含み、
前記ＵＥは、それぞれが対応する測定識別子を有する測定イベントを用いて設定され、各測定識別子は、前記１つ以上の測定対象のうちの１つを、それぞれの報告設定にリンクし、
前記ＵＥによってサービングセルに対するセル品質導出を実行するためのパラメータが取得される前記測定対象は、前記１つ以上の測定対象のうちの特定の測定対象である、方法。
【請求項７】
無線通信ネットワークにおいてセル品質導出を実行するためのユーザ装置（ＵＥ）であって、前記ＵＥは
前記ＵＥのサービングセルに対するセル品質導出を実行するためのパラメータを、前記サービングセルのサービングセル設定において提供される周波数情報に一致する周波数情報を含む測定対象から、取得し、
前記取得されたパラメータに基づいて前記サービングセルに対するセル品質導出を実行する、ように適合される、ＵＥ。
【請求項８】
請求項７に記載のＵＥであって、請求項２から６のいずれか１項に記載の方法を実行するようにさらに適合される、ＵＥ。
【請求項９】
無線通信ネットワークにおいてセル品質導出を実行するためのユーザ装置（ＵＥ）であって、前記ＵＥは、
無線フロントエンド回路を含むインターフェースと、
前記インターフェースに関連付けられた処理回路であって、前記処理回路は、前記ＵＥを
前記ＵＥのサービングセルに対するセル品質導出を実行するためのパラメータを、前記サービングセルのサービングセル設定において提供される周波数情報に一致する周波数情報を含む測定対象から、取得させ
前記取得されたパラメータに基づいて前記サービングセルに対するセル品質導出を実行させる、ように構成される、ＵＥ。
【請求項１０】
請求項９に記載のＵＥであって、
前記ＵＥは、前記無線通信ネットワークによって、１つ以上の測定対象を用いて設定され、 
前記ＵＥによって前記サービングセルに対するセル品質導出を実行するための前記パラメータが取得される前記測定対象は、前記１つ以上の測定対象の中からの特定の測定対象である、ＵＥ。
【請求項１１】
請求項９または１０に記載のＵＥであって、前記周波数情報は、測定される、またはチャネル状態情報参照信号（ＣＳＩ−ＲＳ）に対する同期ソースとして使用される、同期信号/物理ブロードキャストチャネルブロック（ＳＳＢ）の周波数位置を示す情報である、ＵＥ。
【請求項１２】
請求項９または１０に記載のＵＥであって、前記周波数情報は、測定されるチャネル状態情報参照信号（ＣＳＩ−ＲＳ）の周波数位置、または前記ＣＳＩ−ＲＳが物理リソースブロック（ＰＲＢ）グリッド内のどこに位置するかを特定するために役立つ参照周波数を示す情報である、ＵＥ。
【請求項１３】
請求項９または１０に記載のＵＥであって、
前記測定対象に含まれる前記周波数情報は、前記測定対象に従って行われる測定に使用される同期信号/物理ブロードキャストチャネルブロックＳＳＢの絶対周波数であり、
前記サービングセルの前記サービングセル設定において提供される前記周波数情報は、前記サービングセルに使用されるＳＳＢの絶対周波数である、ＵＥ。
【請求項１４】
請求項９に記載のＵＥであって、
前記ＵＥは、前記無線通信ネットワークによって、１つ以上の測定対象を用いて設定され、１つ以上の測定対象の各測定対象は、前記ＵＥがセル品質導出を実行することを可能にするパラメータを含み、
前記ＵＥは、それぞれが対応する測定識別子を有する測定イベントを用いて設定され、各測定識別子は１つ以上の測定対象のうちの１つを、それぞれの報告設定にリンクし、
前記ＵＥによってサービングセルに対するセル品質導出を実行するためのパラメータが取得される測定対象は、１つ以上の測定対象のうちの特定の測定対象である、ＵＥ。
【発明の詳細な説明】
【技術分野】
【０００１】
関連する出願
本出願は2018年2月19日に出願された仮特許出願第62/632,292号の利益を主張し、その開示は、その全体が参照により本明細書に組み込まれる。
【０００２】
本開示は無線通信ネットワークに関し、特に、無線通信ネットワークにおけるセル品質導出に関する。
【背景技術】
【０００３】
［Ｎｅｗ  Ｒａｄｉｏ（ＮＲ）とビームフォーミング］
第３世代パートナーシッププログラム（３ＧＰＰ)ＮＲ(「第５世代（５Ｇ）」とも呼ばれる）のためのマルチアンテナ方式は、現在、３ＧＰＰで議論されている。ＮＲについては、１００ギガヘルツ（ＧＨｚ）までの周波数範囲が考慮される。６ＧＨｚ以上の高周波無線通信は、著しいパス損失（ロス）と透過損失を被る。従って、ＮＲのための多入力多出力（ＭＩＭＯ）方式が検討されている。
【０００４】
マッシブ（massive）ＭＩＭＯにより、ビームフォーミングに対する３つのアプローチ、すなわち、アナログビームフォーミング、デジタルビームフォーミング、およびハイブリッドビームフォーミング（すなわち、アナログビームフォーミングとデジタルビームフォーミングの組合せ）が議論されてきた。ハイブリッドビームフォーミングのための例示的な図が図１に示されている。ビームフォーミングは、送信ビームおよび／または受信ビーム、ネットワーク側又はユーザ装置（ＵＥ）側であり得る。
【０００５】
サブアレイのアナログビームは、各直交周波数分割多重方式（ＯＦＤＭ）シンボル上で単一方向に向かってステアリングすることができ、従って、サブアレイの数は各ＯＦＤＭシンボル上のビーム方向の数と対応するカバレッジを決定する。しかしながら、サービス領域全体をカバーするビームの数は、特に個々のビーム幅が狭い場合には通常、サブアレイの数よりも大きい。従って、サービス領域全体をカバーするために、時間領域で異なるようにステアリングされた狭いビームを持つ複数の送信も必要になる可能性がある。この目的のために複数の狭いカバレッジビームを提供することは、「ビーム掃引」と呼ばれてきた。アナログおよびハイブリッドビームフォーミングのために、ビーム掃引は、ＮＲにおける基本的なカバレッジを提供するために不可欠であるように思われる。この目的のために、異なるステアリングビームをサブアレイを通して送信できる複数のＯＦＤＭシンボルを割り当て、周期的に送信できる。このビーム掃引の２つの例を図２Ａおよび２Ｂに示す。しかしながら、異なる数のサブアレイを使用する他の例も可能である。
【０００６】
［同期信号（ＳＳ）ブロック構成］
本明細書では、ＳＳブロックおよびＳＳバースト構成の非限定的な例が説明され、これは本明細書で提供される説明のために想定され得る。ＳＳブロックに含まれる信号は周波数内測定、周波数間測定、および無線アクセス技術間測定（すなわち、別のＲＡＴからのＮＲ測定）を含む、ＮＲキャリア上の測定に使用されてもよい。
【０００７】
ＳＳブロック（ＳＳ／物理ブロードキャストチャネル（ＰＢＣＨ）ブロックまたはＳＳＢとも呼ばれる）：ＮＲプライマリ同期信号（ＮＲ−ＰＳＳ）、ＮＲセカンダリ同期信号（ＮＲ−ＳＳＳ）、および／またはＮＢ  ＰＢＣＨ(ＮＲ−ＰＢＣＨ）は、ＳＳブロック内で送信されることができる。所与の周波数帯に対して、ＳＳブロックは、１つのサブキャリア間隔（例えば、デフォルトまたは構成される）に基づいてＮ個のＯＦＤＭシンボルに対応し、Ｎは定数である。ＵＥは、少なくとも、ＯＦＤＭシンボルインデックスと、無線フレーム内のスロットインデックスと、ＳＳブロックからの無線フレーム番号とを識別することができる。(例えば、無線フレームに関して、またはＳＳバーストセットに関して)可能なＳＳブロック時間位置の単一のセットが、周波数帯域ごとに指定される。少なくともマルチビームの場合には、少なくともＳＳブロックの時間インデックスがＵＥに示される。実際に送信されたＳＳブロックの位置は、ＣＯＮＮＥＣＴＥＤ／ＩＤＬＥモード測定を支援するために、ＣＯＮＮＥＣＴＥＤモードＵＥが未使用のＳＳブロックにおいてＤＬデータ／制御を受信することを支援するために、および潜在的にＩＤＬＥモードＵＥが未使用のＳＳブロックにおいてＤＬデータ／制御を受信することを支援するために、通知され得る。異なる周波数範囲のＳＳバーストセットＬ内のＳＳブロックの最大個数は、以下のとおりである：
o３ＧＨｚまでの周波数範囲では、Ｌは４、
o３ＧＨｚ〜６ＧＨｚの周波数範囲、Ｌは８、および
o６ＧＨｚ〜５２．６ＧＨｚの周波数範囲では、Ｌは６４
【０００８】
ＳＳバーストセット：１つ以上のＳＳバーストはＳＳバーストセット（またはシリーズ）をさらに構成し、ここで、ＳＳバーストセット内のＳＳバーストの数は有限である。物理層仕様の観点から、ＳＳバーストセットの少なくとも１つの周期性がサポートされる。ＵＥの観点から、ＳＳバーストセット送信は周期的である。少なくとも初期セル選択のために、ＵＥは所与のキャリア周波数（例えば、５ミリ秒（ｍｓ）、１０ｍｓ、２０ｍｓ、４０ｍｓ、８０ｍｓ、または１６０ｍｓのうちの１つ）のためのＳＳバーストセット送信のデフォルト周期性を仮定し得る。ＵＥは、所与のＳＳブロックがＳＳバーストセット周期性で繰り返されると仮定することができる。デフォルトでは、ＵＥがＮＲ基地局（ｇＮＢ）がＳＳバーストセット内の異なるＳＳブロックにわたって同じ数の物理ビームも同じ物理ビームも送信しないと仮定することができる。特別な場合には、ＳＳバーストセットが１つのＳＳバーストを含むことができる。
【０００９】
各キャリアについて、ＳＳブロックは時間整列されてもよく、または完全にもしくは少なくとも部分的に重なり合ってもよく、またはＳＳブロックの開始は（例えば、送信されたＳＳブロックの実際の数が異なるセルにおいて異なる場合に、）時間整列されてもよい。
【００１０】
ＳＳブロック、ＳＳバースト、およびＳＳバーストセットまたはシリーズの構成例を図３に示す。
【００１１】
バーストセット内のすべてのＳＳブロックは５ｍｓのウィンドウ内にあるが、そのようなウィンドウ内のＳＳブロックの数はヌメロロジー（例えば、２４０キロヘルツ（ｋＨｚ）のサブキャリア間隔を有する６４個までのＳＳブロック）に依存する。タイムスロット内および５ｍｓウィンドウ内のＳＳブロックの例示的なマッピングが、図４Ａおよび図４Ｂに示されている。
【００１２】
［ＮＲ測定モデル］
ＲＲＣ_ＣＯＮＮＥＣＴＥＤでは、ＵＥは、セルの少なくとも１つのビームであるが、潜在的には複数のビームを測定し、測定結果（例えば、電力値）は、セル品質を導出するために平均化される。そうする際に、ＵＥは検出されたビームのサブセット、すなわち、絶対閾値を上回るＮ個の最良のビームを考慮するように設定される。フィルタリングは、２つの異なるレベル、すなわち、ビーム品質を引き出すために物理層で、次に、複数のビームからセル品質を引き出すために無線リソース制御（ＲＲＣ）レベルで行われる。ビーム測定からのセル品質は、サービングセルおよび非サービングセルについても同様に導出される。測定報告は、ＵＥがｇＮＢによってそうするように構成されている場合、Ｘ個の最良ビームの測定結果を含むことができる。
【００１３】
対応する高レベル測定モデルを図５に図示し、後述する。Ｋビームは、ｇＮＢによってレイヤ３（Ｌ３）モビリティのために設定され、レイヤ１（Ｌ１）（すなわち、物理レイヤ）においてＵＥによって検出されたＮＲ-ＳＳブロックまたはチャネル状態情報参照信号（ＣＳＩ−ＲＳ）リソース上の測定に対応することに留意されたい。図５を見ると、
・Ａ：物理層の内部の測定値（ビーム固有サンプル）。
・レイヤ１フィルタリング：点（point）Ａで測定された入力の内部レイヤ１フィルタリング。正確なフィルタリングは実装に依存する。実装（入力Ａおよびレイヤ１フィルタリング）によって物理レイヤにおいて測定が実際にどのように実行されるかは、ＮＲ規格によって制約されない。
・Ａ１：レイヤ１フィルタリング後にレイヤ１〜レイヤ３によって報告される測定値（すなわち、ビーム固有の測定値）。
・ビーム統合／選択：ビーム固有の測定値はＮ＞１であればセル品質を導出するために統合され、それ以外の場合、Ｎ = １であれば、セル品質を導出するために最良のビーム測定値が選択される。ビーム統合／選択の挙動は標準化され、このモジュールの設定はＲＲＣ信号によって提供される。Ｂの報告期間は、Ａ１の１つの測定期間に相当する。
・Ｂ：ビーム固有の測定値から導出された測定値（すなわち、セル品質）は、ビーム統合／選択の後にレイヤ３に報告される。
・セル品質のためのレイヤ３フィルタリング：点Ｂで提供された測定に対して実行されるフィルタリングレイヤ３フィルタの振る舞いは標準化され、レイヤ３フィルタの設定はＲＲＣ信号によって提供される。Ｃにおけるフィルタリング報告期間は、Ｂにおける１つの測定期間に等しい。
・Ｃ：レイヤ３フィルタで処理した後の測定値。報告率はＢ点の報告率と同一であり、１回以上の報告基準の評価のための入力として用いられる。
・報告基準の評価：実際の測定報告が点Ｄで必要であるかどうかをチェックする。評価は例えば、異なる測定間を比較するために、参照点Ｃでの複数の測定フローに基づくことができる。これは、入力ＣとＣ１によって示されている。ＵＥは、少なくとも新しい測定結果が点Ｃ、Ｃ１で報告されるたびに、報告基準を評価する。報告基準は標準化され、設定はＲＲＣ信号（ＵＥ測定）によって提供される。
・Ｄ：測定報告情報（メッセージ）は、無線インターフェース上で送信される。
・Ｌ３ビームフィルタリング：点Ａ１で提供される測定値（すなわち、ビーム固有測定値）に対して実行されるフィルタリング。ビームフィルタの挙動を標準化し、ビームフィルタの設定をＲＲＣ信号伝送により提供した。Ｅでのフィルタリング報告期間は、Ａ１で１つの測定期間に相当する。
・Ｅ：ビームフィルタでの処理後の測定（つまり、ビーム固有の測定）。報告レートは、点Ａ１での報告レートと同じである。この測定値は、報告されるＸ測定値を選択するための入力として使用される。
・ビーム報告のためのビーム選択：点Ｅで提供される測定値からＸ測定値を選択する。ビーム選択の挙動は標準化され、このモジュールの設定はＲＲＣ信号によって提供される。
・Ｆ：無線インターフェース上の測定報告（送信）に含まれるビーム測定情報。
【００１４】
レイヤ１フィルタリングは、あるレベルの測定平均化を導入する。ＵＥが要求された測定をどのように、いつ正確に実行するかは、Ｂでの出力が３ＧＰＰ技術仕様（ＴＳ）３８．１３３に設定された性能要件を満たす点に特有の実装である。使用されるセル品質及び関連パラメータのためのレイヤ３フィルタリングは３ＧＰＰ ＴＳ ３８．３３１に規定されており、ＢとＣとの間のサンプル利用可能性にいかなる遅延も導入しない。点Ｃ、Ｃ１における測定は、イベント評価において使用される入力である。使用されるＬ３ビームフィルタリングおよび関連パラメータは３ＧＰＰ ＴＳ ３８．３３１で指定されており、ＥとＦとの間のサンプル利用可能性に遅延を導入しない。
【００１５】
測定報告は、以下の特徴を有する：
・測定報告は、報告をトリガした関連する測定設定の測定アイデンティティを含む。
・測定報告に含まれるセルおよびビーム測定量は、ネットワークによって設定される。
・報告される非サービングセルの数は、ネットワークによる設定によって制限され得る。
・ネットワークによって設定されたブラックリストに属するセルは、イベント評価および報告には使用されず、逆に、ホワイトリストがネットワークによって設定される場合、ホワイトリストに属するセルのみがイベント評価および報告に使用される。
・測定報告に含めるビーム測定値は、ネットワークによって設定される（ビーム識別子のみ、測定結果とビーム識別子、またはビーム報告なし）。
【００１６】
［ＮＲセル品質導出］
スポケーン（Spokane）のＲＡＮ２ #９７-ｂｉｓでは、セル品質の導出に関して以下のことが合意されている：
-------------------------------------------------------------------------------
１  平均化は、（ビームの数が１よりも大きい場合に）複数のビームからセル品質を導出するために使用される。詳細の平均はＦＦＳ
-------------------------------------------------------------------------------
-------------------------------------------------------------------------------
合意
サービングセル品質は、隣接セル品質（すなわち、Ｎベスト）と同じ方法で導出される。  ＦＦＳは、ＵＥがサービングセルおよび特定の隣接セルに対して異なるＮの値で設定され得るかどうかを示す。
-------------------------------------------------------------------------------
-------------------------------------------------------------------------------
合意
１：ＮＲ  ＵＥは、セルレベルの測定値を導出するためにＮＲ-ＳＳビーム測定値とＣＳＩ−ＲＳビーム測定値を一緒に統合してはならない。
２：ＮＲ  ＵＥは、同じタイプのＲＳ（複数可）を使用して、異なるセルのセルレベル測定値を比較しなければならない。言い換えると、ＮＲは、セルのＮＲ−ＳＳベースの測定と別のセルのＣＳＩ−ＲＳベースの測定との間の比較をサポートしない。
-------------------------------------------------------------------------------
【００１７】
漢州のＲＡＮ２ #９８では、セル品質導出に関して以下のことが合意されている：
-------------------------------------------------------------------------------
Ｎ＞１の場合のビーム測定の組み合わせに関する合意：
１  平均化は電力値に基づく（すなわち、ｄＢｍ値ではない）
作業仮定：絶対閾値を上回る検出ビームの最良Ｎまでの平均
-------------------------------------------------------------------------------
-------------------------------------------------------------------------------  合意
- Ｎ（セル品質導出に使用される）は、キャリアごとに設定される。
ＦＦＳ ＮＲ−ＳＳとＣＳＩ−ＲＳに対して異なる値を設定できるかどうか、およびセルごとに設定できるかどうか。
-------------------------------------------------------------------------------
【００１８】
次に、青島（Qingdao）のＲＡＮ２ #アドホック（Adhoc）で：
-------------------------------------------------------------------------------
合意
セルの質は、最良のビームを絶対設定閾値を上回るＮ−１最良のビームまで平均化することによって導出されるべきである。
-------------------------------------------------------------------------------
【００１９】
そしてついにベルリンのＲＡＮ #９９で、次のことが合意された：
-------------------------------------------------------------------------------
合意
１：ＮＲ-ＳＳベースおよびＣＳＩ−ＲＳベースのＬ３モビリティのMeasObjectでは、キャリア周波数ごとに独立したＮおよび独立した閾値を設定する必要がある。（この合意は、セルごとに設定できるＣＳＩ−ＲＳリソースの数にはまったく影響しない）
-------------------------------------------------------------------------------
【００２０】
上記の合意は、ＲＲＣ仕様書（３ＧＰＰ ＴＳ ３８．３３１）において、以下に示すように、参照信号（ＲＳ）タイプ（平均化されるビームの最大個数と、良好なビームを定義する絶対閾値との両方）ごとに、およびMeasObjectNR情報要素（ＩＥ）内で、セル品質導出パラメータを定義することによって変換された：
*******************************************************************************
［MeasObjectNR］
IE MeasObjectNRは、ＳＳ／ＰＢＣＨブロック（１つまたは複数）の周波数内／周波数間測定またはＣＳＩ−ＲＳの周波数内／周波数間測定に適用可能な情報を指定する。
MeasObjectNR情報要素
2021520669.tif 000003
2021520669.tif 000004
2021520669.tif 000005
2021520669.tif 000006
2021520669.tif 000007
*******************************************************************************
【００２１】
上記のセクションは、セル品質導出（ＣＱＤ（Cell Quality Derivation））のためのＲＳタイプごとの２つのパラメータ、すなわち、平均化されるビームの最大数および良好なビームのための閾値に焦点を当ててきたことに言及する価値がある。しかしながら、前のパラメータに加えてMeasObjectNR内の他のパラメータもまた、ＣＱＤのために必要であり、または少なくともイベントトリガに関連する
・セルリスト（ブラックセル、ホワイトセル）
・参照信号設定は以下を含む
oＳＳ／ＰＢＣＨ  ブロック測定時間設定（ＳＭＴＣ）設定
o測定する公称ＳＳＢ
oＳＳＢおよび／またはＣＳＩ−ＲＳサブキャリア間隔
・フィルタリング設定;
・周波数／セル固有オフセット
【発明の概要】
【００２２】
ユーザ装置（ＵＥ）が適切な測定対象からのパラメータを利用して、無線通信ネットワークにおいてセル品質導出を実行することを可能にするためのシステムおよび方法が本明細書で開示される。いくつかの実施形態では、無線通信ネットワークにおいてセル品質導出を実行するためのＵＥの動作方法は、サービングセルのサービングセル設定において提供されるインターフェースに一致する周波数情報を含む測定対象から、ＵＥのサービングセルに対するセル品質導出を実行するためのパラメータを取得することを含む。この方法は、取得されたパラメータに基づいて、サービングセルに対するセル品質導出を実行することをさらに含む。いくつかの実施形態では、ＵＥは、無線通信ネットワークによって、１つ以上の測定対象を用いて設定され、ＵＥによってサービングセルに対するセル品質導出を実行するためのパラメータが取得される測定対象は、１つ以上の測定対象の中からの特定の測定対象である。このようにして、ＵＥは、適切な測定対象からのパラメータを使用してセル品質導出を実行することが可能になる。
【００２３】
いくつかの実施形態では、周波数情報は、測定される、または、チャネル状態情報参照信号（ＣＳＩ−ＲＳ）リソースに対する同期ソースとして使用される、同期信号／物理ブロードキャストチャネルブロック（ＳＳＢ）の周波数位置を示す情報である。いくつかの他の実施形態では、周波数情報は、測定されるＣＳＩ−ＲＳの周波数位置、またはＣＳＩ−ＲＳが物理リソースブロック（ＰＲＢ）グリッド内のどこに位置するかを特定するために役立つ参照周波数を示す情報である。いくつかの他の実施形態では、測定対象に含まれる周波数情報は、測定対象に従って行われる測定に使用されるＳＳＢの絶対周波数であり、サービングセルのサービングセル設定において提供される（提供された）周波数情報は、サービングセルに使用されるＳＳＢの絶対周波数である。
【００２４】
いくつかの実施形態では、ＵＥは、無線通信ネットワークによって、１つ以上の測定対象を用いて設定される。１つ以上の測定対象の各測定対象は、ＵＥがセル品質導出を実行することを可能にするパラメータを含む。さらに、ＵＥは、それぞれが対応する測定識別子を有する測定イベントで設定され、各測定識別子は１つ以上の測定対象の１つを、それぞれの報告設定にリンクする。ＵＥによってサービングセルに対するセル品質導出を実行するためのパラメータが取得される測定対象は、１つ以上の測定対象の中からの特定の測定対象である。
【００２５】
無線通信ネットワークにおいてセル品質導出を実行するためのＵＥの実施形態も開示される。いくつかの実施形態では、無線通信ネットワークにおいてセル品質導出を実行するためのＵＥは、サービングセルのサービングセル設定において提供される（提供された）周波数情報に一致する周波数情報を含む測定対象から、ＵＥのサービングセルに対するセル品質導出を実行するためのパラメータを取得するように適合（構成）される。ＵＥは、取得されたパラメータに基づいて、サービングセルのためのセル品質導出を実行するようにさらに適合される。
【００２６】
いくつかの実施形態では、無線通信ネットワークにおいてセル品質導出を実行するためのＵＥは、無線フロントエンド回路を含むインターフェース、およびインターフェースに関連付けられた処理回路を含む。処理回路はＵＥに、ＵＥのサービングセルのサービングセル設定において提供される（提供された）周波数情報に一致する周波数情報を含む測定対象からＵＥのサービングセルに対するセル品質導出を実行させるパラメータを取得させ、取得されたパラメータに基づいてサービングセルに対するセル品質導出を実行させるように構成される。
【００２７】
いくつかの実施形態では、ＵＥは、無線通信ネットワークによって、１つ以上の測定対象を用いて構成され、ＵＥによってサービングセルに対するセル品質導出を実行するためのパラメータが取得される測定対象は、１つ以上の測定対象の中からの特定の測定対象である。
【００２８】
いくつかの実施形態では、周波数情報は、測定される、または、ＣＳＩ−ＲＳリソースに対する同期ソースとして使用される、ＳＳＢの周波数位置を示す情報である。いくつかの他の実施形態では、周波数情報は、測定されるＣＳＩ−ＲＳの周波数位置、またはＣＳＩ−ＲＳがＰＲＢグリッド内のどこに位置するかを特定するために役立つ参照周波数を示す情報である。いくつかの他の実施形態では、測定対象に含まれる周波数情報は、測定対象に従って行われる測定に使用されるＳＳＢの絶対周波数であり、サービングセルのサービングセル設定に提供される（提供された）周波数情報は、サービングセルに使用されるＳＳＢの絶対周波数である。
【００２９】
いくつかの実施形態では、ＵＥは、無線通信ネットワークによって、１つ以上の測定対象を用いて設定され、１つ以上の測定対象の各測定対象は、ＵＥがセル品質導出を実行することを可能にするパラメータを含む。さらに、ＵＥは、それぞれが対応する測定識別子を有する測定イベントを用いて設定され、各測定識別子は１つ以上の測定対象の１つを、それぞれの報告設定にリンクする。ＵＥによってサービングセルに対するセル品質導出を実行するためのパラメータが取得される測定対象は、１つ以上の測定対象の中からの特定の測定対象である。
【図面の簡単な説明】
【００３０】
本明細書に組み込まれ、その一部を形成する添付の図面は本開示のいくつかの態様を示し、説明とともに本開示の原理を説明するのに役立つ。
【図１】ハイブリッドビーム成形の一例を示す図である。
【図２Ａ】、
【図２Ｂ】図２Ａおよび２Ｂは、ビーム掃引の２つの例を示す。
【図３】図３は、同期信号（ＳＳ）ブロック、ＳＳバースト、およびＳＳバースト設定またはシリーズの例示的な構成を示す。
【図４Ａ】、
【図４Ｂ】図４Ａおよび図４Ｂは、タイムスロット内および５ミリ秒（ｍｓ）ウィンドウ内のＳＳブロックの例示的なマッピングを示す。
【図５】図５は、３ＧＰＰ（第３世代パートナーシッププロジェクト）ＮＲ（Ｎｅｗ  Ｒａｄｉｏ）の測定モデルを示す。
【図６】図６は、本開示の実施形態の少なくともいくつかの態様による、ユーザ装置（ＵＥ）およびネットワークノードの動作を示す。
【図７】図７は、サービングセル測定対象識別のための異なるシナリオを示す。
【図８】図８は、いくつかの実施形態による無線ネットワークを示す。
【図９】図９は、いくつかの実施形態によるＵＥを示す。
【図１０】図１０は、いくつかの実施形態による仮想化環境を示す。
【図１１】図１１は、いくつかの実施形態に従って、中間ネットワークを介してホストコンピュータに接続された電気通信ネットワークを示す。
【図１２】図１２は、いくつかの実施形態による、基地局を介してＵＥと部分無線接続を介して通信するホストコンピュータを示す。
【図１３】図１３は、いくつかの実施形態による、ホストコンピュータ、基地局、およびＵＥを含む通信システムにおいて実施される方法を示す。
【図１４】図１４は、いくつかの実施形態による、ホストコンピュータ、基地局、およびＵＥを含む通信システムにおいて実施される方法を示す。
【図１５】図１５は、いくつかの実施形態による、ホストコンピュータ、基地局、およびＵＥを含む通信システムにおいて実施される方法を示す。
【図１６】図１６は、いくつかの実施形態による、ホストコンピュータ、基地局、およびＵＥを含む通信システムにおいて実施される方法を示す。
【発明を実施するための形態】
【００３１】
以下に記載される実施形態は当業者が実施形態を実施し、実施形態を実施する最良の形態を示すことを可能にする情報を表す。添付の図面に照らして以下の説明を読むと、当業者は本開示の概念を理解し、本明細書で特に対処されないこれらの概念の適用を認識するのであろう。これらの概念およびアプリケーションは、本開示の範囲内にあることを理解されたい。
【００３２】
一般に、本明細書で使用されるすべての用語は異なる意味が明確に与えられ、および／またはそれが使用される文脈から暗示されない限り、関連する技術分野におけるそれらの通常の意味に従って解釈されるべきである。a/an/the要素、装置、コンポーネント、手段、ステップなどへの言及はすべて、特に明記しない限り、要素、装置、コンポーネント、手段、ステップなどの少なくとも1つのインスタンスを指すものとして開放的に解釈されるべきである。本明細書に開示される任意の方法のステップはステップが別のステップの後または前として明示的に記載されていない限り、および／またはステップが別のステップの後または前になければならないことが暗黙的である場合、開示される正確な順序で実行される必要はない。本明細書に開示される実施形態のいずれかの任意の特徴は、適切な場合には任意の他の実施形態に適用されてもよい。同様に、任意の実施形態の任意の利点は任意の他の実施形態に適用することができ、その逆も同様である。添付の実施形態の他の目的、特徴、および利点は、以下の説明から明らかになるのであろう。
【００３３】
ここで、本明細書で企図される実施形態のいくつかを、添付の図面を参照してより完全に説明する。しかしながら、他の実施形態は本明細書に開示された被写体の範囲内に含まれ、開示された被写体は本明細書に記載された実施形態のみに限定されると解釈されるべきではなく、むしろ、これらの実施形態は被写体の範囲を当業者に伝えるために例として提供される。
【００３４】
本明細書で使用される「シグナリング」という用語は（例えば、無線リソース制御（ＲＲＣ）などを介する）上位レイヤシグナリング、（例えば、物理制御チャネルまたはブロードキャストチャンネルを介する）下位レイヤシグナリング、またはそれらの組合せのうちのいずれかを含むことができる。シグナリングは、暗黙的であっても明示的であってもよい。シグナリングはさらに、ユニキャスト、マルチキャスト、またはブロードキャストであってもよい。シグナリングはまた、別のノードに直接的に、または第３のノードを介してもよい。
【００３５】
以下の実施形態の文脈では、「セル品質導出（ＣＱＤ）を実行するためのパラメータ」という用語が常に使用される。本発明者らはこの用語を使用したが、パラメータはそれに関するものだけではなく、より一般的な意味ではそれらはイベントトリガリングに影響を及ぼす、または報告される情報にさえ影響を及ぼすと言うことができる。一般的な態様はmeasObjectNR内にあり、ユーザ装置（ＵＥ）が特定のmeasIdのこれらのパラメータを取得するために選択するmeasObjectNRに曖昧さがあることである。これらは、以下のパラメータのいずれか、またはそれらの組合せと見なすことができる。
・セルリスト（ブラックセル、ホワイトセル）
・参照信号設定は以下を含む
oＳＳ／ＰＢＣＨ  ブロック測定時間設定（ＳＭＴＣ）設定
o測定する公称同期信号（ＳＳ）／物理放送チャネル（ＰＢＣＨ）ブロック（ＳＳＢ）
oＳＳＢおよび／またはチャネル状態情報参照信号（ＣＳＩ−ＲＳ）サブキャリア間隔
・フィルタリング設定
・周波数／セル固有オフセット
・報告されるべき良好なビームを定義する閾値（以下の「ビーム報告における曖昧さ解決に関連する実施形態」サブセクションにおいて明示的にカバーされる）
・最良のビームで平均化されるべき良好なビームを定義する閾値
【００３６】
本開示の実施形態を説明する前に、特定の現在存在する課題の説明が有益である。上述のように、３ＧＰＰ（第３世代パートナーシッププロジェクト）ＮＲ（Ｎｅｗ  Ｒａｄｉｏ）では、ＵＥがＣＱＤを計算することを可能にするパラメータが、measObjectの一部として提供される。しかしながら、ＵＥは、典型的には、多くの測定対象を用いて、ネットワークによって設定され、３ＧＰＰ  ＮＲ  ＲＲＣ仕様書における現在の手順はいくつかのシナリオではあいまいであり、その結果、ＣＱＤを実行するためにどの測定対象を使用すべきかがＵＥには明らかでない。以下では、これらの曖昧さは、サービングセルおよび隣接セルについて分析される。
【００３７】
ＵＥは、技術仕様（ＴＳ）３８．３３１のセクション５．５.３．１に記載されているように、どの種類のサービングセル測定を実行するかを知っている、
*******************************************************************************
ＵＥは、以下のことを行う。
１＞ＵＥがmeasConfigを有するときはいつでも、以下のように各サービングセルについてＲＳＲＰおよびＲＳＲＱ測定を実行する
２＞VarMeasConfig内のmeasIdListに含まれるmeasIdの少なくとも１つにssbに設定されたrsTypeが含まれている場合
３＞VarMeasConfig内のmeasIdListに含まれるmeasIdの少なくとも１つにreportQuantityRsIndexesが含まれている場合
４＞５．５.３．３ａに記載されているように、ＳＳ／ＰＢＣＨブロックに基づいて、サービングセルのためのビームごとにレイヤ３フィルタリングされたＲＳＲＰおよびＲＳＲＱを導出する
３＞５．５.３．３に記載されているように、ＳＳ／ＰＢＣＨブロックに基づいてサービングセル測定結果を導出する
２＞VarMeasConfig内のmeasIdListに含まれる少なくとも１つのmeasIdがＣＳＩ−ＲＳに設定されたrsTypeを含む場合
３＞VarMeasConfig内のmeasIdListに含まれるmeasIdの少なくとも１つにreportQuantityRsIndexesが含まれている場合
４＞５．５.３．３ａに記載されているように、ＣＳＩ−ＲＳに基づいてサービングセルについて、レイヤ３フィルタリングをかけたＲＳＲＰおよびＲＳＲＱをビームごとに導出する
３＞５．５.３．３に記載されているように、ＣＳＩ−ＲＳに基づいてサービングセル計測結果を導出する
１＞VarMeasConfig内のmeasIdListに含まれるmeasIdの少なくとも１つに、トリガ数量および／または報告数量としてＳＩＮＲが含まれている場合
２＞関連するreportConfigにssbに設定されたrsTypeが含まれている場合
３＞measIdにreportQuantityRsIndexesが含まれている場合
４＞５．５.３．３ａに記載されているように、ＳＳ／ＰＢＣＨブロックに基づいて、サービングセルのためのビーム当たりのレイヤ３フィルタリングされたＳＩＮＲを導出する
３＞５．５.３．３に記載されているＳＳ／ＰＢＣＨブロックに基づくサービングセルＳＩＮＲを導出する
２＞関連するreportConfigにＣＳＩ−ＲＳに設定されたrsTypeが含まれている場合
３＞measIdにreportQuantityRsIndexesが含まれている場合
４＞５．５.３．３ａに記載されているように、ＣＳＩ−ＲＳに基づいてサービングセルの１ビームあたりのレイヤ３フィルタリングＳＩＮＲを導出する
３＞５．５.３．３に記載されているＣＳＩ−ＲＳに基づくサービングセルＳＩＮＲを導出する
*******************************************************************************
【００３８】
上記のテキストの部分では、ＵＥがＣＱＤを実行するために（ＵＥが設定されているmeasObjectNRから）パラメータを取得するために、ＵＥがどのmeasObjectNRを選択すべきかを説明するものがないことに注意する。次に、ＴＳ ３８．３３１のセクション５．５.３．３において、ＣＱＤがどのように実行されるべきかについての以下の詳細が提供される
*******************************************************************************
ネットワークは、measObject（例えば、平均化されるべきビームの最大数およびビーム統合閾値）およびreportConfig（測定されるべきrsType、ＳＳ／ＰＢＣＨブロックまたはＣＳＩ−ＲＳ）において設定されたパラメータに基づいて、ＮＲキャリア周波数に関連するセルごとにＲＳＲＰ、ＲＳＲＱ、およびＳＩＮＲ測定結果を実行するようにＵＥを設定することができる。
ＵＥは、以下のことを行う。
１＞ＳＳ／ＰＢＣＨブロックに基づいて導出される各セル測定数量（測定値量）に対して
２＞関連するmeasObjectにおいてnrofSS-BlocksToAverageが設定されていない場合、
２＞関連するmeasObjectにおいてabsThreshSS-BlocksConsolidationが設定されていない場合、または
２＞最も高いビーム測定数量がabsThreshSS-BlocksConsolidationを下回っている場合、
３＞ＴＳ ３８．２１５［９］に記載されているように、最高ビーム測定数量として、ＳＳ／ＰＢＣＨブロックに基づいて各セル測定数量を導出する
２＞その他
３＞absThreshSS-BlocksConsolidationを超える最高ビーム測定数量の電力（パワー）値の線形平均として、ＳＳ／ＰＢＣＨブロックに基づいて各セル測定数量を導出する。ここで、平均ビームの総数はnrofSS-BlocksToAverageを超えない
１＞ＣＳＩ−ＲＳに基づいて導出するセル測定数量ごとに
２＞関連するＣＳＩ−ＲＳリソースが、このmeasIdのVarMeasConfig内の対応するcellIdおよびCSI-RS-ResourceId-RRMを持つCSI-RS-ResourceConfigMobilityに含まれている場合、関連する周波数上のＣＳＩ−ＲＳリソースがＲＳＲＰの導出に適用可能であると考える
２＞関連するmeasObjectにおいてnrofCSI-RS-ResourcesToAverageが設定されていない場合、または
２＞関連するmeasObjectにおいてabsThreshCSI-RS-Consolidationが設定されていない場合、または
２＞最高ビーム測定数量がabsThreshCSI-RS-Consolidation未満である場合
３＞各ビーム測定数量はＴＳ ３８．２１５［９］に記載されているように、ＣＳＩ−ＲＳに基づいて各セル測定数量を最も高いビーム測定数量として導出する
２＞その他
３＞absThreshCSI-RS-Consolidationを超える最高ビーム測定数量の電力値の線形平均として、ＣＳＩ−ＲＳに基づいて各セル測定数量を導出する。ここで、平均ビームの総数はnroCSI-RS-ResourcesToAverageを超えない
*******************************************************************************
【００３９】
上記のテキストでは、ＵＥがＣＱＤを実行するために正しいパラメータを取得するためにどの測定対象を選択すべきかを記述する何らかの試みを見ることができる。ただし、テキストにはmeasObjectで設定されたパラメータが記載されているが、以下に再現するように、どのmeasObjectかはまだ明確ではない。
「measObject（例えば、平均化されるビームの最大数およびビーム統合閾値）およびreportConfig（測定されるrsType、ＳＳ／ＰＢＣＨブロックまたはＣＳＩ−ＲＳ）において構成されたパラメータに基づいて、ＮＲキャリア周波数に関連するセル」
【００４０】
また、この手順では「関連するmeasObjectにおいて」という句が現れるが、例えば以下に再現されるように、この関連付けが実際に意味することができることは、改めて明らかではない。
２＞関連するmeasObjectにおいてabsThreshSS-BlocksConsolidationが設定されていない場合、または、
２＞最高ビーム測定数量がabsThreshSS-BlocksConsolidation未満である場合
３＞ＴＳ ３８．２１５［９］に記載されているように、最高ビーム測定数量として、ＳＳ／ＰＢＣＨブロックに基づいて各セル測定数量を導出する
【００４１】
セルが属するキャリアに関連付けられたものを使用するためのmeasObjectNRとしての関連付けを導出すること、または推測することは、あまり困難ではないと主張しようと試みることができる。ロングタームエボリューション（ＬＴＥ）では、measObjectがcarrierFreq（キャリア周波数）と呼ばれる絶対無線周波数チャネル番号（ＡＲＦＣＮ）パラメータを有するので、これは真である。従って、測定対象とキャリア周波数の間には一つの関係がある。したがって、ＬＴＥにおいて所与のキャリア周波数で送信されたセルのＣＱＤを実行するために、ＵＥは、そのキャリア周波数に関連付けられた測定対象においてパラメータを取得する。しかしながら、ＮＲでは、２つの主要な問題がある
１．測定対象とキャリアの関係は、ＬＴＥに比べてはるかにぼやけている。ＮＲでは、ＵＥがmeasObjectにおいて、ＵＥが測定しなければならないキャリア周波数についての詳細を取得しない。代わりに、ＵＥは、測定対象において、ＵＥが測定すべき参照信号、ＳＳ／ＰＢＣＨブロック、および場合によってはＣＳＩ−ＲＳリソースの周波数位置を取得する。実際、ＳＳ／ＰＢＣＨブロックがなく、ＳＳＢ周波数位置を含むＣＳＩ−ＲＳを持つキャリアが存在する可能性がある。
２．場合によっては２つの異なる周波数からの２つのセルの品質の比較に基づいてトリガされる測定イベントのいくつかがあり、一方、イベントなどの単一の測定対象がmeasIdおよびreportConfigにリンクされる
・Ａ１：サービングが閾値より良くなる
・Ａ２：サービングが閾値より悪くなる
・Ａ３：プライマリセル（ＰＣｅｌｌ）／プライマリセカンダリセル（ＰＳＣｅｌｌ）よりも隣接セルのオフセットが良くなる
・Ａ４：近隣が閾値より良くなる
・Ａ５：ＰＣｅｌｌ／ＰＳＣｅｌｌが閾値１より悪くなり、隣接が閾値２より良くなる
・Ａ６：隣接セルは、セカンダリセル（ＳＣｅｌｌ）よりも良好にオフセットされる
これらの６つのイベントのうち、少なくとも３つのイベント（Ａ３、Ａ５、およびＡ６）は２つの異なる周波数で実行される測定を潜在的に含むことができるが、単一のmeasObjectNRがmeasIdを介してreportConfigにリンクされる。したがって、特にこれらの３つのイベントの場合、ＵＥがどのmeasObjectNRからＣＱＤパラメータを取得すべきか、および２つのセルの品質を比較するイベントの場合、これらのパラメータが比較される２つのセル／２つの周波数について同じであるか、または異なるかは、非常に不明確になる。
この問題は、サービングセル方法に特に関連し、Ａ３、Ａ５、およびＡ６イベント、または２つの異なる周波数におけるセル品質間の比較を行う将来定義される任意のイベントなど、２つの周波数が同じイベントに使用される場合に、より関連することに留意されたい。しかし、他のイベント（Ａ１、Ａ２、およびＡ４）についてさえ、いくつかの他の一貫性問題が存在する可能性があり、曖昧さの問題を表し得る。
【００４２】
５．５.３．１に記載されているように、隣接セルについては「measObjectNRに関連している」という意味が何であるか、および／またはイベントＡ３、Ａ５、およびＡ６の場合に、その規則が隣接セル測定値およびサービングセル測定値の両方に適用可能であるかどうかが明らかでないので、曖昧さも存在し得ることに留意されたい。
*******************************************************************************
１＞VarMeasConfig内のmeasIdListに含まれるmeasIdごとに
２＞関連するreportConfigに対するreportTypeがreportCGIに設定されていない場合
３＞測定ギャップ設定が設定されている場合、または、
３＞ＵＥが関連する測定を実行するために測定ギャップを必要としない場合
４＞s-MeasureConfigが設定されていない場合、または、
４＞s-MeasureConfigがssb-RSRPに設定され、ＳＳ／ＰＢＣＨブロックに基づくＰＣｅｌｌ（またはＵＥがＥＮ-ＤＣにある場合はＰＳＣｅｌｌ）ＲＳＲＰがレイヤ３フィルタリング後にssb-RSRPより低い場合、または
４＞s-MeasureConfigがcsi-RSRPに設定され、ＣＳＩ−ＲＳに基づくＰＣｅｌｌ（またはＵＥがＥＮ−ＤＣにある場合はＰＳＣｅｌｌ）ＲＳＲＰがレイヤ３フィルタリング後にcsi-RSRPより低い場合
５＞measObjectがＮＲに関連付けられ、rsTypeがcsi-rsに設定されている場合
６＞関連するreportConfigに対するreportQuantityRsIndexesが設定されている場合
７＞５．５.３．３ａに記載されているように、reportQuantityRsIndexesに示されている各測定数量に対するＣＳＩ−ＲＳのみに基づいて、レイヤ３フィルタリングされたビーム測定値を導出する
６＞５．５.３．３に記載されているように、ＣＳＩ−ＲＳに基づくセル測定結果を、トリガ数量ごとに、また、reportQuantityCellに記載されている各測定数量ごとに、関連するmeasObjectからのパラメータを用いて導出する;
５＞measObjectがＮＲに関連付けられ、rsTypeがssbに設定されている場合
６＞関連するreportConfigに対するreportQuantityRsIndexesが設定されている場合
７＞５．５.３．３ａに記載されているように、reportQuantityRsIndexesに示されている各測定数量についてのＳＳ／ＰＢＣＨブロックのみに基づいてレイヤ３ビーム測定値を導出する
６＞５．５.３．３に記載されているように、関連するmeasObjectからのパラメータを使用して、各トリガ数量およびreportQuantityCellに示されている各測定数量についてのＳＳ／ＰＢＣＨブロックに基づいてセル測定結果を導出する
５＞measObjectがＥ-ＵＴＲＡに関連している場合
６＞関連するmeasObjectに示された周波数上で、隣接セルに関連する対応する測定を実行する
２＞５．５.４に定める報告基準の評価を行う
*******************************************************************************
【００４３】
さらに別の曖昧さは、ＵＥがサービングセル（１つまたは複数）および隣接セル（１つまたは複数）上にあることが可能であり、各セルがそれ自体のmeasObjectNRパラメータのセット（設定）を有することが可能でビーム測定情報を測定報告に含める必要があるときを考慮すべきであるmeasObjectNRに関する。
【００４４】
本開示およびそれらの実施形態のある態様は、これらの課題または他の課題に対する解決策を提供することができる。本明細書では、ＵＥが正しい測定対象（measObject）からＣＱＤを実行するためのパラメータを取得することを可能にするための実施形態が開示される。いくつかの実施形態では、本開示が１つ以上の測定対象を用いてネットワークによって設定されているＵＥによって実行される方法を説明し、各測定対象はＵＥがＣＱＤを実行することを可能にするパラメータを含み、同じＵＥは各measIdが１つのmeasObjectを１つのreportConfigにリンクする測定識別子measIdを有するように設定され（ここで、イベントトリガ測定報告、例えば、Ａ１、Ａ２、Ａ３、Ａ４、Ａ５、Ａ６における各イベントはＣＱＤパラメータを取得する正しいmeasObject、またはより一般的な意味ではmeasObject関連パラメータがＣＱＤに使用されるだけでなく、いくつかは測定報告に含める情報を選択するためにも使用されるため）、ＵＥがＣＱＤパラメータを取得する正しいmeasObjectを選択することを含む。
【００４５】
本明細書で開示される問題のうちの１つまたは複数に対処する様々な実施形態が、本明細書で提案される。特定の実施形態は、以下の技術的利点のうちの１つ以上を提供し得る。本明細書で開示される実施形態は現在のＮＲ仕様における曖昧さを解決し、多くのネットワーク設定では、ＵＥがどの対象（オブジェクト）を選択すべきか、したがって、どのＣＱＤパラメータを取得すべきかを把握することができない。この問題を解決することにより、同じ設定を有する異なるＵＥが異なる方法でセル品質が導出されたために、イベントトリガに関して異なる挙動をするように提供されるなど、ネットワークに関する問題を防止することができる。さらなる利点は以下の説明に照らして容易に明らかであり得、特定の実施形態はこれらの技術的利点のいくつか、全く、またはすべてを提供し得る。
【００４６】
［第１の実施形態］
第１の実施形態では、ＵＥがサービングセル設定で提供される周波数情報に一致する周波数情報を含むmeasObjectから、サービングセルのためのＣＱＤを実行するためのパラメータを取得する（例えば、サービングセル設定は、ＳＣｅｌｌ追加および／またはハンドオーバ中にＵＥに提供される）。
【００４７】
図６は、本明細書で説明される第１の実施形態の少なくともいくつかの態様による、ＵＥおよびネットワークノード（たとえば、ＮＲ基地局（ｇＮＢ））の動作を示す。任意選択（オプション）のステップは破線で表される。図示されるように、ネットワークノードは、複数の測定対象をＵＥに提供する（ステップ６００）。言い換えると、ネットワークノードは、複数の測定対象を用いてＵＥを設定する。ＵＥはサービングセルのサービングセル設定において提供される（提供された）周波数情報に一致する周波数情報を含む測定対象から、ＵＥのサービングセルのためのＣＱＤを実行するためのパラメータを取得する（ステップ６０２）。一致を判定するために使用することができる測定対象およびサービングセル設定における周波数情報のタイプの複数の例を以下に提供する。さらに、取得したパラメータの様々な例を本明細書に記載する。いくつかの例には平均化されるビームの最大数および参照信号タイプごとの絶対閾値が含まれるが、これらに限定されない。任意選択で、ＵＥは、取得されたパラメータに基づいて、サービングセルに対するＣＱＤを実行する（ステップ６０４）。ＣＱＤの詳細は上述されており、当業者に知られており、したがって、ここでは繰り返さないことに留意されたい。ＵＥは、任意選択で、ＣＱＤの結果をネットワークノードに報告する（ステップ６０６）。
【００４８】
この文脈では、周波数情報の第１のオプションは、測定される（測定されるべき）、またはＣＳＩ−ＲＳリソースに対する同期ソースとしてのみ使用される、ＳＳＢの周波数位置とすることができる。そのＳＳＢ周波数位置は、測定対象およびサービングセル設定の両方に提供される、同期ラスタグローバル同期チャネル番号（ＧＳＣＮ）とすることができる。
【００４９】
この文脈では、第２のオプションの周波数情報は、測定される（測定されるべき）ＣＳＩ−ＲＳの周波数位置、または物理リソースブロック（ＰＲＢ）グリッド内のＣＳＩ−ＲＳの位置を、場合によってはキャリア内で、特定するために役立つ参照（基準）周波数とすることができる。その周波数情報は、測定対象およびサービングセル構成の両方において提供される、チャネルラスタＡＲＦＣＮで符号化される、いわゆる点Ａの公称周波数位置として符号化され得る。
【００５０】
この文脈において、第３のオプションの周波数情報は、ＳＳＢの周波数位置と、測定されるＣＳＩ−ＲＳの周波数位置（または、ＰＲＢグリッド内のＣＳＩ−ＲＳのどこに、場合によってはキャリア内のどこに位置するするかを到底するために役立つ参照周波数）との両方であり得る。前のオプションと同様に、両方のパラメータの照合（matching）は、ＣＱＤを実行するパラメータを取得するために選択するmeasObjectをＵＥに示す。
【００５１】
measObjectNRおよびservingCellConfigCommonで比較されるパラメータ（特に、比較される正確なパラメータを含むFrequencyInfoDL）は、以下の太字の下線付きテキストで強調表示される
*******************************************************************************
MeasObjectNR
IE MeasObjectNRは、ＳＳ／ＰＢＣＨブロック（１つまたは複数）の周波数内／周波数間測定またはＣＳＩ−ＲＳの周波数内／周波数間測定に適用可能な情報を指定する。
measObject情報要素
2021520669.tif 000008
ServingCellConfigCommon IEは、ＵＥのサービングセルのセル固有パラメータを設定するために使用される。ＩＥには、ＩＤＬＥからセルにアクセスするときにＵＥが通常ＳＳＢ、ＭＩＢ、またはＳＩＢから取得するパラメータが含まれている。このＩＥを用いて、ネットワークはＳＣｅｌｌまたは追加のセルグループ（ＳＣＧ）を用いてＵＥを設定するときに、専用シグナリングにおいてこの情報を提供する。また、同期による再設定時にＳｐＣｅｌｌｓ(ＭＣＧおよびＳＣＧ）のためにそれを提供する。
ServingCellConfigCommon情報要素
2021520669.tif 000009
2021520669.tif 000010
IE FrequencyInfoDLは、ダウンリンクキャリアの基本パラメータおよびその上での送信を提供する。
FrequencyInfoDL情報要素
2021520669.tif 000011
*******************************************************************************
【００５２】
したがって、上記の例を考慮すると、比較は下記の間にある
・ServingCellConfigCommon内のfrequencyInfoDLのabsoluteFrequencySSBとmeasObjectNR内のssbAbsoluteFreq
・ServingCellConfigCommon内のfrequencyInfoDLのabsoluteFrequencyPointAとmeasObject内のrefFreqCSI-RS
比較は以下のように行われる。ＵＥは、ssbAbsoluteFreqがServingCellConfigCommon内のfrequencyInfoDLでシグナリングされるabsoluteFrequencySSBと同じである測定対象を選択する。複数のmeasObjectNRがその基準を満たし、選択される場合、ＵＥは、refFreqCSI-RSがServingCellConfigCommon内のfrequencyInfoDLのabsoluteFrequencyPointAに等しいmeasObjectNRを選択する。
【００５３】
上述のＵＥアクションは、以下の場合に特に重要である、ここで、
ａ．ＵＥが設定された２つ以上の測定対象は、同じssbAbsoluteFreqであるが、おそらく異なるrefFreqCSI-RSを有し、
ｂ．ＵＥが設定されたイベントは、Ａ３、Ａ５、およびＡ６などの隣接セル測定のために考慮すべきmeasObjectNRの明示的な設定のみを有する。
これらの３つのイベントについて、この第１の実施形態において曖昧さがどのように解決されるかについて、以下に説明する。
イベントＡ３（近隣がＰＣｅｌｌ／ＰＳＣｅｌｌよりも良好にオフセットされる）：第１の実施形態の一部として、所与のmeasIdについて、ＵＥは、そのmeasIdおよびreportConfigにリンクされたmeasObjectNR（イベントトリガ報告およびイベントＡ３が設定されている）を選択して、隣接セルのＣＱＤを導出するためのパラメータを取得する。ＰＣｅｌｌまたはＰＳＣｅｌｌのＣＱＤについて、ＵＥは第１の実施形態で説明した基準を満たすmeasObjectNR、すなわち、ServingCellConfigCommonで設定されたものと同じ周波数情報を用いてmeasObjectNRを選択する。
【００５４】
以下に、この特定の場合の実施形態が、３ＧＰＰ ＴＳ ３８．３３１仕様書の変更としてどのように実施され得るかを示す。
*******************************************************************************
ＵＥは、以下のことを行う。
１＞以下に規定する条件Ａ３−１が満たされた場合、このイベントのエントリ（参加する／入る）条件が満たされることを考慮する
１＞以下に規定する条件Ａ３−２が満たされた場合、このイベントの退出（出る）条件が満たされることを考慮する
１＞ＥＮ-ＤＣでは、Ｍｐ、Ｏｆｐ、Ｏｃｐに対してＰＣＣｅｌｌを使用する
注  イベントをトリガするセルは、関連するmeasObjectNRに示される周波数上にあり、これは、（ＵＥがＥＮ-ＤＣにあるとき）ＰＣｅｌｌ／ＰＳＣｅｌｌによって使用される周波数とは異なる可能性がある。
不等式Ａ３−１（エントリ条件）
Ｍｎ + Ｏｆｎ + Ｏｃｎ - Ｈｙｓ ＞ Ｍｐ + Ｏｆｐ + Ｏｃｐ + Ｏｆｆ
不等式Ａ３−２（退出条件）
Ｍｎ + Ｏｆｎ + Ｏｃｎ + Ｈｙｓ ＜ Ｍｐ + Ｏｆｐ + Ｏｃｐ + Ｏｆｆ
式中の変数は次のように定義される。
Ｍｎは、オフセットを考慮しない隣接セルの測定結果である。隣接セルのセル品質導出のためのパラメータは、隣接セルの周波数に対応するmeasObjectNR、すなわち、reportConfigNRおよびmeasIdに関連するmeasObjectNRにおいて取得される。
Ｏｆｎは、隣接セルの周波数の周波数固有オフセット（すなわち、隣接セルの周波数に対応するmeasObjectNR内で定義されるoffsetFreq）である。対応するmeasObjectNRは、そのmeasIdおよびreportConfigNRに関連付けられているものである。
Ｏｃｎは、隣接セルのセル固有オフセット（すなわち、隣接セルの周波数に対応するmeasObjectNR内で定義されるようなcellIndividualOffset）であり、隣接セルのために設定されていない場合、ゼロに設定される。対応するmeasObjectNRは、そのmeasIdおよびreportConfigNRに関連付けられているものである。
Ｍｐは、オフセットを考慮しないＰＣｅｌｌ／ＰＳＣｅｌｌの測定結果である。ＰＣｅｌｌまたはＰＳＣｅｌｌのセル品質導出のためのパラメータは、ssbAbsoluteFreqがServingCellConfigCommon内のfrequencyInfoDLのabsoluteFrequencySSBに等しいmeasObjectNRにおいて得られる。同じssbAbsoluteFreqを有する複数のmeasObjectNRが存在する場合、ＵＥは、refFreqCSI-RSがServingCellConfigCommon内のfrequencyInfoDLのabsoluteFrequencyPointAに等しいMeasObjectNRを選択する。
Ｏｆｐは、ＰＣｅｌｌ／ＰＳＣｅｌｌの周波数の周波数固有オフセット（すなわち、ＰＣｅｌｌ／ＰＳＣｅｌｌの周波数に対応するmeasObjectNR内で定義されるoffsetFreq）である。対応するMeasObjectNRは、ssbAbsoluteFreqがServingCellConfigCommon内のfrequencyInfoDLのabsoluteFrequencySSBに等しいものである。同じssbAbsoluteFreqを有する複数のMeasObjectNRが存在する場合、ＵＥは、refFreqCSI-RSがServingCellConfigCommon内のfrequencyInfoDLのabsoluteFrequencyPointAに等しいmeasObjectNRを選択する。
Ｏｃｐは、ＰＣｅｌｌ／ＰＳＣｅｌｌのセル固有オフセット（すなわち、ＰＣｅｌｌ／ＰＳＣｅｌｌの周波数に対応するmeasObjectNR内で定義されるcellIndividualOffset）であり、ＰＣｅｌｌ／ＰＳＣｅｌｌについて構成されていない場合、ゼロに設定される。対応するmeasObjectNRは、ssbAbsoluteFreqがServingCellConfigCommon内のfrequencyInfoDLのabsoluteFrequencySSBに等しいものである。同じssbAbsoluteFreqを有する複数のmeasObjectNRが存在する場合、ＵＥは、refFreqCSI-RSがServingCellConfigCommon内のfrequencyInfoDLのabsoluteFrequencyPointAに等しいmeasObjectNRを選択する。
Ｈｙｓは、このイベントのヒステリシスパラメータ（すなわち、このイベントのreportConfigNR内で定義されるHysteresis）である。
Ｏｆｆは、このイベントのオフセットパラメータである（つまり、このイベントのreportConfigNR内で定義されているa3-Offset）。
Ｍｎ、Ｍｐは、ＲＳＲＰの場合はｄＢｍ、ＲＳＲＱ、ＲＳ-ＳＩＮＲの場合はｄＢで表される。
Ｏｆｎ、Ｏｃｎ、Ｏｆｐ、Ｏｃｐ、Ｈｙｓ、ＯｆｆはｄＢで表される。
*******************************************************************************
【００５５】
イベントＡ５（ＰＣｅｌｌ／ＰＳＣｅｌｌが閾値１より悪くなり、隣接が閾値２より良くなる）：Ａ５イベントの既存の定義では、隣接セルと閾値１との間、およびＰＣｅｌｌ（またはＰＳＣｅｌｌ）と閾値２との間の比較がある。第１の実施形態の一部として、所与のmeasIdについて、ＵＥは、そのmeasIdおよびreportConfigにリンクされたmeasObjectNR（イベントトリガ報告およびイベントA5が構成されている）を選択して、隣接セルのＣＱＤを導出するためのパラメータを取得する。ＰＣｅｌｌまたはＰＳＣｅｌｌのＣＱＤについて、ＵＥは第１の実施形態で説明した基準を満たすmeasObjectNR、すなわち、ServingCellConfigCommonで構成されたものと同じ周波数情報を用いてmeasObjectNRを選択する。
【００５６】
以下に、この特定の場合の実施形態が、３ＧＰＰ ＴＳ３８．３３１仕様書の変更としてどのように実施され得るかを示す。
*******************************************************************************
５．５.４．６ イベントＡ５（ＰＣｅｌｌ／ＰＳＣｅｌｌが閾値１より悪くなり、隣接が閾値２より良くなる）
ＵＥは、以下のことを行う
１＞以下に規定する条件Ａ５−１と条件Ａ５−２の両方が満たされた場合、このイベントのエントリ条件が満たされることを考慮する
１＞条件Ａ５−３または条件Ａ５−４、すなわち、以下に明記する２つのうちの少なくとも１つが満たされた場合、このイベントのための退出条件が満たされることを考慮する
１＞ＥＮ-ＤＣでは、ＭｐＰＣＣｅｌｌを使用する
注  イベントをトリガするセルは、関連するmeasObjectNRに示される周波数上にあり、これは、ＰＣｅｌｌ／ＰＳＣｅｌｌによって使用される周波数とは異なる可能性がある。
不等式Ａ５−１（エントリ条件１）
Ｍｐ + Ｈｙｓ ＜ Ｔｈｒｅｓｈ１
不等式Ａ５−２（エントリ条件２）
Ｍｎ + Ｏｆｎ + Ｏｃｎ - Ｈｙｓ ＞ Ｔｈｒｅｓｈ２
不等式Ａ５−３（退出条件１）
Ｍｐ - Ｈｙｓ ＞ Ｔｈｒｅｓｈ１
不等式Ａ５−４（退出条件２）
Ｍｎ + Ｏｆｎ + Ｏｃｎ + Ｈｙｓ ＜ Ｔｈｒｅｓｈ２
式中の変数は次のように定義される。
Ｍｐは、オフセットを考慮しないＰＣｅｌｌ／ＰＳＣｅｌｌの測定結果である。ＰＣｅｌｌまたはオフセットを考慮しないＰＣｅｌｌ／ＰＳＣｅｌｌの測定結果である。ＰＣｅｌｌまたはＰＳＣｅｌｌのセル品質導出のためのパラメータは、ssbAbsoluteFreqがServingCellConfigCommon内のfrequencyInfoDLのabsoluteFrequencySSBに等しいmeasObjectNRにおいて得られる。同じssbAbsoluteFreqを有する複数のmeasObjectNRが存在する場合、ＵＥは、refFreqCSI-RSがServingCellConfigCommon内のfrequencyInfoDLのabsoluteFrequencyPointAに等しいmeasObjectNRを選択する。
Ｍｎは、オフセットを考慮しない隣接セルの測定結果である。隣接セルのセル品質導出のためのパラメータは、隣接セルの周波数に対応するmeasObjectNR、すなわち、reportConfigNRおよびmeasIdに関連するmeasObjectNRにおいて取得される。
Ｏｆｎは、隣接セルの周波数の周波数固有オフセット（すなわち、隣接セルの周波数に対応するmeasObjectNR内で定義されるoffsetFreq）である。対応するmeasObjectNRは、そのmeasIdおよびreportConfigNRに関連付けられているものである。
Ｏｃｎは、隣接セルのセル固有オフセット（すなわち、隣接セルの周波数に対応するmeasObjectNR内で定義されるようなcellIndividualOffset）であり、隣接セルのために設定されていない場合、ゼロに設定される。対応するmeasObjectNRは、そのmeasIdおよびreportConfigNRに関連付けられているものである。
Ｈｙｓは、このイベントのヒステリシスパラメータ（すなわち、このイベントのreportConfigNR内で定義されるHysteresis）である。
Ｔｈｒｅｓｈ１は、このイベントの閾値パラメータである（つまり、このイベントのreportConfigNR内で定義されているa5-Threshold1）。
Ｔｈｒｅｓｈ２は、このイベントの閾値パラメータである（つまり、このイベントのreportConfigNR内で定義されているa5-Threshold2）。
Ｍｎ、Ｍｐは、ＲＳＲＰの場合はｄＢｍ、ＲＳＲＱ、ＲＳ-ＳＩＮＲの場合はｄＢで表される。
Ｏｆｎ、Ｏｃｎ、Ｏｆｐ、Ｏｃｐ、Ｈｙｓ、ＯｆｆはｄＢで表される。
。
Ｔｈｒｅｓｈ１は、Ｍｐと同じ単位で表される。
Ｔｈｒｅｓｈ２は、Ｍｎと同じ単位で表される。
*******************************************************************************
【００５７】
イベントＡ６（近隣がＳＣｅｌｌよりも良好にオフセットされる）：Ａ６+イベントの既存の定義では、近隣セルとＳＣｅｌｌとの間に比較があり、ここで、近隣セルはＳＣｅｌｌと同じ周波数上にあり、すなわち、両方とも関連するmeasObjectNRに示される周波数上にある。したがって、この場合、第１の実施形態によれば、ＳＣｅｌｌ測定のＣＱＤはサービングセル上で実行されるが、ＵＥはＡ６を設定するreportConfigNRに関連付けられたmeasObjectNRおよびmeasIdからＣＱＤのパラメータを取得する。
*******************************************************************************
５．５．４．７  イベントＡ６（近隣がＳＣｅｌｌよりもオフセットが良くなる）
ＵＥは、以下のことを行う：
１＞以下に規定する条件Ａ６−１が満たされた場合、このイベントのエントリ条件が満たされることを考慮する
１＞以下に規定する条件Ａ６−２が満たされた場合、このイベントの退出条件が満たされることを考慮する
１＞この測定のために、関連するmeasObjectNRに示される周波数上に設定される（セカンダリ）セルをサービングセルとみなし、ＳＣｅｌｌのセル品質導出のためのパラメータは、reportConfigNRおよびmeasIdに関連するmeasObjectNRにおいて取得される。
注１：近隣はＳＣｅｌｌと同じ周波数上にあり、すなわち、両方とも関連するmeasObjectNRに示される周波数上にある。また、reportConfigNRおよびmeasIdに関連付けられたmeasObjectNRにおいて、近傍のセル品質導出のためのパラメータが取得される。
注２：ＥＮ-ＤＣにおいて、イベントをトリガするセルは、関連するmeasObjectの中で示される周波数上にある、がＰＳＣｅｌｌによって使用される周波数とは異なる
。
不等式Ａ６−１（エントリ条件）
Ｍｎ + Ｏｃｎ - Ｈｙｓ ＞ Ｍｓ + Ｏｃｓ + Ｏｆｆ
不等式Ａ６−２（退出条件）
Ｍｎ + Ｏｃｎ + Ｈｙｓ ＜ Ｍｓ + Ｏｃｓ + Ｏｆｆ
式中の変数は次のように定義される。
Ｍｎは、オフセットを考慮しない隣接セルの測定結果である。隣接セルのセル品質導出のためのパラメータはまた、reportConfigNRおよびmeasIdに関連するmeasObjectNRにおいて取得される。
Ｏｃｎは、隣接セルのセル固有オフセット（すなわち、隣接セルの周波数に対応するmeasObjectNR内で定義されるようなcellIndividualOffset）であり、隣接セルのために設定されていない場合、ゼロに設定される。対応するmeasObjectNRは、そのmeasIdおよびreportConfigNRに関連付けられているものである。
Ｍｓは、いかなるオフセットも考慮に入れない、サービングセルの測定結果である。また、reportConfigNRおよびmeasIdに関連付けられたmeasObjectNRにおいて、近傍のセル品質導出のためのパラメータが取得される。
Ｏｃｓは、サービングセルのセル固有オフセット（すなわち、サービング周波数に対応するmeasObjectNR内で定義されるようなcellIndividualOffset）であり、サービングセルに対して設定されていない場合、ゼロに設定される。対応するmeasObjectNRは、そのmeasIdおよびreportConfigNRに関連付けられているものである。
Ｈｙｓは、このイベントのヒステリシスパラメータ（すなわち、このイベントのreportConfigNR内で定義されるHysteresis）である。
Ｏｆｆは、このイベントのオフセットパラメータである（つまり、このイベントのreportConfigNR内で定義されているa3-Offset）。
Ｍｎ、Ｍｐは、ＲＳＲＰの場合はｄＢｍ、ＲＳＲＱ、ＲＳ-ＳＩＮＲの場合はｄＢで表される。
Ｏｆｎ、Ｏｃｎ、Ｏｆｐ、Ｏｃｐ、Ｈｙｓ、ＯｆｆはｄＢで表される。
編集者の注：ＦＦＳ  Ｂ１／Ｂ２のＲＡＴ間イベントの詳細およびＬＴＥ測定のための定期的報告
-------------------------------------------------------------------------------
*******************************************************************************
【００５８】
ＵＥがイベントＡ１、Ａ２、およびＡ４で設定されているＣＱＤの場合、パラメータはmeasIdで設定され、そのreportConfigNRに関連付けられているmeasObjectNRから取得される。可能な実施例は、以下のように示される。
*******************************************************************************
５．５．４．２  イベントＡ１（サービングが閾値より良くなる）
ＵＥは、以下のことを行う
１＞以下に規定する条件Ａ１−１が満たされた場合、このイベントのエントリ条件が満たされることを考慮する
１＞以下に規定する条件Ａ１−２が満たされた場合、このイベントの退出条件が満たされることを考慮する
１＞この測定のために、プライマリセルを、ＮＲ ＰＣｅｌｌ、ＮＲ ＰＳＣｅｌｌ（ＵＥがＥＮ-ＤＣにある場合）、または関連するmeasObjectNRに示される周波数上に設定されたセカンダリセルとして、サービングセルと見なす
不等式Ａ１−１（エントリ条件）
Ｍｓ - Ｈｙｓ ＞ Ｔｈｒｅｓｈ
不等式Ａ１−２（退出条件）
Ｍｓ + Ｈｙｓ ＜ Ｔｈｒｅｓｈ
式中の変数は次のように定義される。
Ｍｓは、いかなるオフセットも考慮に入れない、サービングセルの測定結果である。ＳＣｅｌｌのセル品質導出のためのパラメータは、reportConfigNRおよびmeasIdに関連付けられたmeasObjectNRにおいて取得される。
Ｈｙｓは、このイベントのヒステリシスパラメータ（すなわち、このイベントのreportConfigNR内で定義されるHysteresis）である。
Ｔｈｒｅｓｈは、このイベントの閾値パラメータである（つまり、このイベントのreportConfigNR内で定義されているa1-Threshold）。
Ｍｓは、ＲＳＲＰの場合はｄＢｍ、ＲＳＲＱ、ＲＳ-ＳＩＮＲの場合はｄＢで表される。
Ｈｙｓは、ｄＢで表される。
Ｔｈｒｅｓｈは、Ｍｎと同じ単位で表される。
５．５．４．３  イベントＡ２（サービングが閾値より悪くなる）
ＵＥは、以下のことを行う。
１＞以下に規定する条件Ａ２−１が満たされた場合、このイベントのエントリ条件が満たされることを考慮する
１＞以下に規定する条件Ａ２−２が満たされた場合、このイベントの退出条件が満たされることを考慮する
１＞この測定ではプライマリセルを、ＮＲ ＰＣｅｌｌ、ＮＲ ＰＳＣｅｌｌ（ＵＥがＥＮ−ＤＣの場合）、または関連付けられたmeasObjectNRに示された周波数に設定されたセカンダリセルとしてサービングセルと見なす。サービングセルのセル品質導出のパラメータはreportConfigNRおよびmeasIdに関連付けられたmeasObjectNRで取得される。
不等式Ａ２−１（エントリ条件）
Ｍｓ + Ｈｙｓ ＜ Ｔｈｒｅｓｈ
不等式Ａ２−２（退出条件）
Ｍｓ - Ｈｙｓ ＞ Ｔｈｒｅｓｈ
式中の変数は次のように定義される。
Ｍｓは、いかなるオフセットも考慮に入れない、サービングセルの測定結果である。サービングセルのセル品質導出のためのパラメータは、reportConfigNRおよびmeasIdに関連付けられたmeasObjectNRにおいて取得される。
Ｈｙｓは、このイベントのヒステリシスパラメータ（すなわち、このイベントのreportConfigNR内で定義されるHysteresis）である。
Ｔｈｒｅｓｈは、このイベントの閾値パラメータである（つまり、このイベントのreportConfigNR内で定義されているa2-Threshold）。
Ｍｓは、ＲＳＲＰの場合はｄＢｍ、ＲＳＲＱ、ＲＳ-ＳＩＮＲの場合はｄＢで表される。
Ｈｙｓは、ｄＢで表される。
Ｔｈｒｅｓｈは、Ｍｓと同じ単位で表される。
５．５．４．５．イベントＡ４（近隣が閾値より良くなる）
ＵＥは、以下のことを行う
１＞以下に規定する条件Ａ４−１が満たされた場合、このイベントのエントリ条件が満たされることを考慮する
１＞以下に規定する条件Ａ４−２が満たされた場合、このイベントの退出条件が満たされることを考慮する;
不等式Ａ４−１（エントリ条件）
Ｍｎ + Ｏｆｎ + Ｏｃｎ - Ｈｙｓ ＞ Ｔｈｒｅｓｈ
不等式Ａ４−２（退出条件）
Ｍｎ + Ｏｆｎ + Ｏｃｎ + Ｈｙｓ ＜ Ｔｈｒｅｓｈ
式中の変数は次のように定義される
Ｍｎは、オフセットを考慮しない隣接セルの測定結果である。サービングセルのセル品質導出のためのパラメータは、reportConfigNRおよびmeasIdに関連付けられたmeasObjectNRにおいて取得される。
Ｏｆｎは、隣接セルの周波数の周波数固有オフセット（すなわち、隣接セルの周波数に対応するmeasObjectNR内で定義されるoffsetFreq）である。サービングセルのセル品質導出のためのｓは、reportConfigNRおよびmeasIdに関連付けられたmeasObjectNRにおいて得られる。
Ｏｃｎは、隣接セルのセル固有オフセット（すなわち、隣接セルの周波数に対応するmeasObjectNR内で定義されるようなcellIndividualOffset）であり、隣接セルのために設定されていない場合、ゼロに設定される。対応するmeasObjectNRは、そのmeasIdおよびreportConfigNRに関連付けられているものである。
Ｈｙｓは、このイベントのヒステリシスパラメータ（すなわち、このイベントのreportConfigNR内で定義されるHysteresis）である。
Ｔｈｒｅｓｈは、このイベントの閾値パラメータである（つまり、このイベントのreportConfigNR内で定義されているa4-Threshold2）。
Ｍｎは、ＲＳＲＰの場合はｄＢｍ、ＲＳＲＱ、ＲＳ-ＳＩＮＲの場合はｄＢで表される。
Ｏｆｎ、Ｏｃｎ、ＨｙｓはｄＢで表される。
Ｔｈｒｅｓｈは、Ｍｎと同じ単位で表される。
*******************************************************************************
【００５９】
［第２の実施形態］
第２の実施形態では、所与のreportConfigNRに関連する所与のmeasIdについて、ＵＥは同じmeasObjectNRから、サービングセル（複数可）および隣接セル（複数可）のためのＣＱＤを実行するためのパラメータを取得する。
【００６０】
１つの解決策では、measObjectNRは、所与のmeasIdに関連するmeasObjectNRである。サービングおよび隣接セルの両方の測定が実行されるイベント（Ａ３、Ａ５、およびＡ６など）、ならびにサービング／隣接セルのみのイベント（Ａ１、Ａ２、およびＡ４）について、ＵＥはＯｂｊｅｃｔＮＲを意味するＣＱＤパラメータのみを取得し、同じ値を使用して、サービングおよび隣接セルのＣＱＤを計算する。
【００６１】
別の解決策では、measObjectNRは、サービングセルがイベント設定の一部であるときはいつでも、イベントで示されるサービングセルに関連付けられたmeasObjectNRである。トリガ条件の一部として設定されたサービングセル測定値が存在する場合に、サービングセル測定値および隣接セル測定値の両方が実行されるイベント（Ａ３、Ａ５、およびＡ６など）について、ＵＥは、第１の実施形態で定義された規則に従って、サービングセルに関連付けられたmeasObjectNRからＣＱＤパラメータを取得する。言い換えると、ＵＥはサービングセル設定において提供される周波数情報に一致する周波数情報を含むmeasObjectから、サービングセル上でＣＱＤを実行するためのパラメータを取得する（例えば、サービングセル設定は、ＳＣｅｌｌ追加および／またはハンドオーバ中にＵＥに提供される）。
【００６２】
［ビーム報告における曖昧さ解決に関する実施形態］
ビームレベル報告を実行するために、ＵＥは、パラメータabsThreshSS-BlocksConsolidationまたはabsThreshCSI-RS-BlocksConsolidationを使用して、報告されるべきビームを選択する。これらの２つの閾値、absThreshSS-BlocksConsolidationおよびabsThreshCSI-RS-BlocksConsolidationの中からの選択は、対応するreportConfigに示されるrs-Typeに依存する。ただし、複数の測定対象が関係するこれらのイベントの場合、ＵＥは、セルが属する各measObjectで設定されている閾値を使用するか、measConfigに含まれているmeasObjectで設定されている閾値を使用するかを知る必要がある。
【００６３】
１つのサブ実施形態では、ＵＥがそれらのセルが属するmeasObjectに応じて、異なるセルに対して異なる閾値を使用する。これに基づいて、例示的な実施形態のテキストの提案は、以下のように見える（太字および下線のテキストが新しい追加を示す）。
*******************************************************************************
ビーム測定情報の報告
ビーム測定情報が測定報告に含まれるために、ＵＥは、次のことを行う
１＞reportTypeがeventTriggeredに設定されている場合
２＞トリガ数量をソート数量とみなす;
１＞reportTypeがperiodical（周期的）に設定されている場合
２＞reportQuantityRsIndexesで単一の報告数量がＴＲＵＥに設定されている場合
３＞設定された単一数量をソート数量と見なす
２＞その他
３＞rsrpがＴＲＵＥに設定されている場合
４＞RSRPをソート数量とみなす
３＞その他
４＞RSRQをソート数量とみなす
１＞測定報告に含めるセルごとに、（訳注：下線部は太字）以下のように、maxNrofRsIndexesToReport SS/PBCHブロックインデックスまたはＣＳＩ−ＲＳインデックスをソート数量の多い順に含めるように、rsIndexResultsを設定する
２＞含まれるべき測定情報がＳＳ／ＰＢＣＨブロックに基づく場合
３＞resultsSSB-Indexes内に、そのＳＳ／ＰＢＣＨブロックのソート数量の最適なビームに関連付けられているインデックスと、対象のセルに対応する訳注：下線部は太字）measObject（訳注：「に対応するVarMeasConfig」に取り消し線）で定義されているabsThreshSS-BlocksConsolidationを超えるソート数量の残りのビームを含める
３＞includeBeamMeasurementsが設定されている場合は、ＳＳ／ＰＢＣＨインデックスごとにＴＲＵＥに設定されたreportQuantityRsIndexes内の数量のＳＳ／ＰＢＣＨベースの測定結果を含める
２＞その他、含まれるビーム測定情報がＣＳＩ−ＲＳに基づいている場合
３＞resultsCSI-RS-Indexes内に、そのＣＳＩ−ＲＳのソート数量の最適なビームに関連付けられているインデックスと、対象のセルに対応する（訳注：下線部は太字）measObject（訳注：「に対応するVarMeasConfig」に取り消し線）で定義されているabsThreshCSI-RS-Consolidationを超えるソート数量の残りのビームを含める
３＞includeBeamMeasurementsが設定されている場合は、ＣＳＩ−ＲＳインデックスごとにＴＲＵＥに設定されたreportQuantityRsIndexes内の数量のＣＳＩ−ＲＳベースの測定結果を含める
*******************************************************************************
【００６４】
別のサブ実施形態では、ＵＥが報告されるべきセルの各々に対して同じ閾値を使用し、この閾値は対応するmeasIDにおいて設定されたmeasObjectにおいて設定された閾値である。これに基づいて、例示的な実施形態のテキストの提案は、以下のように見える（太字および下線のテキストが新しい追加を示す）
*******************************************************************************
ビーム測定情報の報告
ビーム測定情報が測定報告に含まれるために、ＵＥは、次のことを行う
１＞reportTypeがeventTriggeredに設定されている場合
２＞トリガ数量をソート数量とみなす
１＞reportTypeがperiodicalに設定されている場合
２＞reportQuantityRsIndexesで単一の報告数量がＴＲＵＥに設定されている場合
３＞設定された単一数量をソート数量と見なす
２＞その他
３＞rsrpがＴＲＵＥに設定されている場合
４＞RSRPをソート数量とみなす
３＞その他
４＞RSRQをソート数量とみなす
１＞測定報告に含めるセルごとに、（訳注：下線部は太字）以下のように、maxNrofRsIndexesToReport SS/PBCHブロックインデックスまたはＣＳＩ−ＲＳインデックスをソート数量の多い順に含めるように、rsIndexResultsを設定する
２＞含まれるべき測定情報がＳＳ／ＰＢＣＨブロックに基づく場合
３＞resultsSSB-Indexes内に、そのＳＳ／ＰＢＣＨブロックのソート数量の最適なビームに関連付けられているインデックスと、対応するmeasIDに対して訳注：下線部は太字）measObject（訳注：「に対応するVarMeasConfig」に取り消し線）で定義されているabsThreshSS-BlocksConsolidationを超えるソート数量の残りのビームを含める
３＞includeBeamMeasurementsが設定されている場合は、ＳＳ／ＰＢＣＨインデックスごとにＴＲＵＥに設定されたreportQuantityRsIndexes内の数量のＳＳ／ＰＢＣＨベースの測定結果を含める
２＞その他、含まれるビーム測定情報がＣＳＩ−ＲＳに基づいている場合
３＞resultsCSI-RS-Indexes内に、そのＣＳＩ−ＲＳのソート数量の最適なビームに関連付けられているインデックスと、対応するmeasIDに対して（訳注：下線部は太字）measObject（訳注：「に対応するVarMeasConfig」に取り消し線）で定義されているabsThreshCSI-RS-Consolidationを超えるソート数量の残りのビームを含める
３＞includeBeamMeasurementsが設定されている場合は、ＣＳＩ−ＲＳインデックスごとにＴＲＵＥに設定されたreportQuantityRsIndexes内の数量のＣＳＩ−ＲＳベースの測定結果を含める
*******************************************************************************
【００６５】
［２つ以上の測定対象点が同じＳＳ／ＰＢＣＨブロック周波数位置にある場合のサービングキャリアにおける曖昧性解決に関する実施形態］
同じＳＳブロックを指す測定対象が２つ以上ある場合、ＵＥは、ＳＳブロックへのポインタだけを使用して、どの測定対象（ＭＯ）がサービングキャリアのＭＯに対応するかを識別することができない。このようなシナリオを解決するために、現在の仕様では、パラメータ、すなわちisServingCellMOがＭＯに導入される。
2021520669.tif 000012
2021520669.tif 000013
【００６６】
図７は、サービングセル測定対象識別のための異なるシナリオを示す。図７に示されるように考慮され得る異なるシナリオが存在し、異なる設定に基づいて、ＵＥは、明細書における既存の方法に基づいて、異なる方法で、どのＭＯがサービングセルＭＯに対応するかを導出する。
１．図７のシナリオ（ａ）では、測定対象がＳＳブロックとＣＳＩ−ＲＳの両方を含む。ＵＥは、この測定対象がサービングセル設定の一部として提供されるFrequencyInfoDL内のabsoluteFrequencySSBパラメータの助けを借りて、サービングキャリアに対応するＭＯであることを知ることができる。これに基づいて、ＵＥがＳＳＢ上で測定を実行するとき、ＵＥはＳＳＢ固有のイベントトリガ基準を評価しながら、ＳＳＢ−１関連測定をサービングセル無線リソース管理（ＲＲＭ）測定として扱う。さらに、ＵＥがまたＣＳＩ−ＲＳ関連イベントを用いて設定される場合、ＵＥはＣＳＩ−ＲＳ固有のイベントトリガリング基準を評価しながら、ＣＳＩ−ＲＳ１関連測定値をサービングセルＲＲＭ測定値として扱う。このシナリオではＭＯ内のisServingCellMOが偽（false）に設定されている場合であっても、ＵＥはこのＭＯをサービング周波数に対応するＭＯとして扱う。
２．図７のシナリオ（ｂ）では、ＵＥが２つの測定対象を用いて設定される。両方の測定対象は、ＲＲＭ測定のためのＣＳＩ−ＲＳ設定に対応する。これらの両方の測定対象について、ＳＳＢ−１は、タイミング基準プロバイダとして設定される。このシナリオでは、ＣＳＩ−ＲＳ３に対応する測定対象をサービング周波数関連測定対象（ＭＯ−３）としてＵＥを設定する必要がある場合、ＭＯ−３のパラメータisServingCellMOは真（true）に設定され、ＭＯ−２の対応するパラメータは偽に設定される。しかしながら、ＵＥがＣＳＩ−ＲＳ３関連測定対象からＣＳＩ−ＲＳ２関連測定対象への周波数間ハンドオーバを実行する場合、ＵＥは、これらの測定対象の両方についてisServingCellMOの更新された値で更新される必要がある。これは、これらの測定対象物に関連する測定値の除去につながる。
【００６７】
上記の観察（観察１および観察２）から分かるように、パラメータisServingCellMOを測定対象に持つことは理想的ではない。しかしながら、ＵＥは、どの測定対象がそのサービング周波数に対応するかを知る必要がある。この情報は、提供セル設定内の既存の情報要素（ＩＥ）からＵＥによって抽出することができる。IE FrequencyInfoDLは、サービングセル設定の一部として設定される。このＩＥは二つのパラメータを含む
１．absoluteFrequencySSB：このパラメータは、このサービングセルに使用されるＳＳＢの周波数位置を指す。
２．absoluteFrequencyPointA：このパラメータは、サービングキャリアのキャリア帯域幅の最低周波数位置を指す。
【００６８】
これらの２つのパラメータを使用して、ＵＥは、サービングキャリアに対応する測定対象として扱われるべき対応する測定対象を識別することができる。図７に示すシナリオ（ａ）の場合、absoluteFrequencySSBおよびabsoluteFrequencyPointAは、測定対象内で対応する一致値を有する。FrequencyInfoDLのパラメータabsoluteFrequencySSBの値は測定対象のssbAbsoluteFreqと同じになり、FrequencyInfoDLのabsoluteFrequencyPointAの値は測定対象のrefFreqCSI-RSと同じになる。この比較を使用して、ＵＥは、ＭＯ−１がサービングキャリアに対応する測定対象であることを知ることになる。図７に示すシナリオ（ｂ）について、ＭＯ−２がサービングキャリアに対応する測定対象である必要があると考える。FrequencyInfoDLにおけるパラメータabsoluteFrequencySSBに提供される値は、ＭＯ−２およびＭＯ−３におけるssbAbsoluteFreqと同じである。ただし、FrequencyInfoDLでabsoluteFrequencyPointAに提供される値はＭＯ−２で提供されるrefFreqCSI-RSと同じであり、ＭＯ−３では異なる。この比較を使用して、ＵＥは、ＭＯ−２がサービングキャリアに対応する測定対象であることを知ることになる。
【００６９】
この分析に基づいて、ＵＥは、FrequencyInfoDLにおけるabsoluteFrequencySSBおよびabsoluteFrequencyPointAパラメータを、測定対象におけるssbAbsoluteFreqおよびrefFreqCSI-RSパラメータとそれぞれ比較することによって、サービング周波数に対応するその測定対象を識別する。この説明に基づく例示的なテキスト提案が以下に与えられる（下線の太いテキストは、新しい追加を示す）。
*******************************************************************************
５．５．１  序論
ネットワークはＲＲＣ＿ＣＯＮＮＥＣＴＥＤ ＵＥを、測定を実行し、測定設定に従ってそれらを報告するように設定（構成）することができる。測定設定は個別シグナリングの手段によって、すなわち、RRCReconfigurationを使用して提供される。
ネットワークは、次のタイプの測定を実行するようにＵＥを設定することがある
‐ＮＲ測定。
‐Ｅ−ＵＴＲＡ周波数のＲＡＴ間測定
ネットワークは、異なるＲＳタイプＳＳ／ＰＢＣＨブロックまたはＣＳＩ−ＲＳに基づいて、以下のＮＲ測定を実行するようにＵＥを設定することができる
‐ＳＳ／ＰＢＣＨブロックベースの周波数内測定：中心周波数およびサブキャリア間隔の両方が、各サービングセルのセル定義ＳＳＢと同じで隣接セルのＳＳＢにおける測定
‐ＳＳ／ＰＢＣＨブロックベースの周波数間測定：各サービングセルのセル定義ＳＳＢと比較して、異なる中心周波数（複数可）または異なるサブキャリア間隔を有する隣接セル（複数可）のＳＳＢ（複数可）での測定
‐ＣＳＩ−ＲＳベースの周波数内測定：測定用に設定されたサービングセル上のＣＳＩ−ＲＳリソースの帯域幅内にあり、測定用に設定されたサービングセル上のＣＳＩ−ＲＳリソースの同じサブキャリア間隔を持つ、設定されたネイバーセルのＣＳＩ−ＲＳリソースでの測定
‐ＣＳＩ−ＲＳベースの周波数間測定：帯域幅が帯域幅内にない、または測定用に設定されたサービングセル上のＣＳＩ−ＲＳリソースと比較して異なるサブキャリア間隔を持つ、設定されたネイバーセルのＣＳＩ−ＲＳリソースでの測定
編集者注：編集者注：FFS RAN４によって提供される周波数間および周波数内測定値の定義を３８．３３１から削除すべきかどうか
ネットワークは、ＳＳ／ＰＢＣＨブロックに基づいて、以下の測定情報を報告するようにＵＥを設定することができる
‐ＳＳ／ＰＢＣＨブロック毎の測定結果。
‐ＳＳ／ＰＢＣＨブロックに基づくセルごとの測定結果
‐ＳＳ／ＰＢＣＨブロックインデックス
ネットワークは、ＣＳＩ−ＲＳリソースに基づいて以下の測定情報を報告するようにＵＥを設定してもよい
‐ＣＳＩ−ＲＳリソースごとの測定結果
‐ＣＳＩ−ＲＳリソースに基づくセルごとの測定結果
‐ＣＳＩ−ＲＳリソース測定識別子
測定設定には、以下のパラメータが含まれている
１．測定対象：ＵＥが測定を実行する対象（オブジェクト）のリスト
‐周波数内および周波数間測定の場合、測定対象はＮＲキャリア周波数に関連付けられる。このＮＲキャリア周波数に関連して、ネットワークはセル固有のオフセットのリスト、「ブラックリストされた」セルのリスト、および「ホワイトリストされた」セルのリストを設定することができる。ブラックリストされたセルは、イベント評価または測定報告には適用されない。ホワイトリストされたセルは、イベント評価または測定報告に適用可能な唯一のセルである。
編集者注：以下の定式化を再訪問し、以下の追加契約をどのように取り込むか
２．測定のためのＣＳＩ−ＲＳリソースを有する２つ以上のＭＯは、周波数において同じＳＳＢ位置に関連付けられ得る。ＳＳＢは、少なくともタイミング参照に用いられる。
３．測定のためのＣＳＩ−ＲＳリソースを有する複数のＭＯが周波数における同じＳＳＢ位置に関連付けられている場合、ＵＥは、どのＭＯがサービングキャリアに対応するか示される。
‐ＵＥはサービングセル設定内に含まれるセル定義ＳＳＢの周波数位置と、サービングセル設定内に含まれる点Ａ（pointA）への周波数ポインタとから、どのＭＯがサービングセル周波数に対応するかを決定する。ＵＥは、サービングセル周波数に対応するＭＯを、以下のことによって識別しなければならない。
１＞２つ以上のＭＯが、サービングセル設定内のセル定義ＳＳＢ（absoluteFrequencySSB）の周波数位置と同じ周波数位置を指す同じグローバル同期チャネルラスタ番号（ssbAbsoluteFreq）を有する場合
２＞サービングセル設定内のセル定義ＳＳＢのものと同じ周波数位置を指す同じグローバル同期チャネルラスタ番号を有するＭＯの間で、サービングセル設定内の参照ＰＲＢ（absoluteFrequencyPointA）の最低サブキャリアの絶対周波数位置に対する周波数ポインタと同じ周波数参照を有するＭＯを、サービング周波数に対応するＭＯとみなす
１＞その他
２＞サービングセル設定内のセル定義ＳＳＢと同じグローバル同期チャネルラスタ番号を有するＭＯは、サービングセル周波数に対応するＭＯと見なされる
*******************************************************************************
【００７０】
本明細書で説明される主題は任意の好適な構成要素を使用して任意の適切な種類のシステムで実装され得るが、本明細書で開示される実施形態は図８に示される例示的な無線ネットワークなどの無線ネットワークに関連して説明される。簡潔にするために、図８の無線ネットワークはネットワーク８０６、ネットワークノード８６０および８６０ｂ、ならびにＷＤ１１０、８１０ｂ、および８１０ｃのみを示す。実際には、無線ネットワークが無線デバイス間の通信、または無線デバイスと、陸線電話、サービスプロバイダ、または任意の他のネットワークノードもしくはエンドデバイスなどの別の通信デバイスとの間の通信をサポートするのに適した任意の追加の要素をさらに含むことができる。図示された構成要素のうち、ネットワークノード８６０および無線デバイス（ＷＤ）８１０が、さらなる詳細を伴って示されている。無線ネットワークは、無線ネットワークによって、または無線ネットワークを介して提供されるサービスへの無線デバイスのアクセスおよび／またはそのサービスの使用を容易にするために、１つ以上の無線デバイスに通信および他のタイプのサービスを提供することができる。
【００７１】
無線ネットワークは、任意のタイプの通信、電気通信、データ、セルラ、および／または無線ネットワーク、または他の同様のタイプのシステムを備え、および／またはそれらとインターフェースすることができる。いくつかの実施形態では、無線ネットワークが特定の規格または他のタイプの事前定義された規則または手順に従って動作するように構成され得る。したがって、無線ネットワークの特定の実施形態は、移動体通信用グローバルシステム（ＧＳＭ）、ユニバーサルモバイルテレコミュニケーションシステム（ＵＭＴＳ）、ＬＴＥ、および／またはその他の適当な第二、第四、または第五世代（２Ｇ、３Ｇ、４Ｇまたは５Ｇ）規格;ＩＥＥＥ８０２．１１規格のような無線地域ネットワーク（ＷＬＡＮ）規格;および／またはマイクロ波アクセス（ＷｉＭａｘ）、Ｂｌｕｅｔｏｏｔｈ、Ｚ-Ｗａｖｅおよび／またはＺｉｇＢｅｅ規格のようなワールドワイド・インターオペラビリティ(Worldwide Interoperability)のような他の適当な無線通信規格;のようなものを実施することができる。
【００７２】
ネットワーク８０６は１つ以上のバックホールネットワーク、コアネットワーク、ＩＰネットワーク、公衆交換電話網、パケットデータネットワーク、光ネットワーク、ワイドエリアネットワーク、ローカルエリアネットワーク、無線ＬＡＮ、有線ネットワーク、無線ネットワーク、メトロポリタンエリアネットワーク、および他のネットワークから成り、デバイス間の通信を可能にする。
【００７３】
ネットワークノード８６０およびＷＤ８１０は、以下でより詳細に説明する様々な構成要素を備える。これらの構成要素は、無線ネットワークにおける無線接続を提供するなど、ネットワークノードおよび／または無線デバイスの機能を提供するために協働する。異なる実施形態では無線ネットワークが任意の数の有線または無線ネットワーク、ネットワークノード、基地局、コントローラ、無線デバイス、中継局、および／または有線またはワイヤレス接続を介するかどうかにかかわらず、データおよび／または信号の通信を容易にするかまたは参加することができる任意の他の構成要素またはシステムを備えることができる。
【００７４】
本明細書で使用されるように、ネットワークノードは無線デバイスおよび／または無線ネットワーク内の他のネットワークノードまたは装置と直接的または間接的に通信するために、および／または無線ネットワーク内の他のネットワークノードまたは装置と直接的または間接的に通信することができ、および／または無線デバイスへの無線アクセスを可能にし、および／または無線ネットワーク内の他の機能（例えば、管理）を実行することができる、構成され、配置され、および／または動作可能な装置を指す。ネットワークノードの例にはアクセスポイント（ＡＰ）（例えば、無線アクセスポイント）、基地局（Ｂｓ）（例えば、無線基地局、ノードＢ、および進化ノードＢ）が含まれるが、これらに限定されない。基地局はそれらが提供する（または別の言い方をすれば、それらの送信電力レベル）カバレージの量に基づいて分類され得、次いで、フェムト基地局、ピコ基地局、マイクロ基地局、またはマクロ基地局とも呼ばれ得る。基地局は、リレーを制御するリレーノードまたはリレードナーノードであってもよい。ネットワークノードは、集中型デジタルユニットおよび／または遠隔無線ユニット（ＲＲＵ）（遠隔無線ヘッド（ＲＲＨ）と呼ばれることもある）などの分散型無線基地局の１つ以上の（またはすべての）部分を含むこともできる。そのようなＲＲＵは、アンテナ統合無線機としてアンテナと統合されてもされなくてもよい。分散無線基地局の一部は、分散アンテナシステム（ＤＡＳ）におけるノードとも呼ばれることがある。ネットワークノードのさらなる例には、ＭＳＲ  ＢＳなどのマルチスタンダード無線（ＭＳＲ）機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（例えば、移動交換局（ＭＳＣ）、モビリティ管理エンティティ（ＭＭＥ））、操作および保守（Ｏ&Ｍ）ノード、オペレーションサポートシステム（ＯＳＳ）ノード、自己最適化ネットワーク（ＳＯＮ）ノード、測位ノード（例えば、Ｅ−ＳＭＬＣ）、および／またはドライブテストの最小化（ＭＤＴ）が含まれる。別の例として、ネットワークノードは、以下でより詳細に説明するような仮想ネットワークノードであってもよい。しかしながら、より一般的には、ネットワークノードが無線デバイスに無線ネットワークへのアクセスを可能にする、および／または提供する、あるいは無線ネットワークにアクセスした無線デバイスに何らかのサービスを提供することが可能な、構成された、配置された、および／または動作可能な、任意の適切なデバイス（またはデバイスのグループ）を表し得る。
【００７５】
図８において、ネットワークノード８６０は、処理回路８７０、デバイス読み取り可能媒体８８０、インターフェース８９０、補助装置８８４、電源８８６、電力回路８８７、およびアンテナ８６２を含む。図８の例示的な無線ネットワークに示されたネットワークノード８６０はハードウェアコンポーネントの図示された組合せを含むデバイスを表すことができるが、他の実施形態はコンポーネントの異なる組合せを有するネットワークノードを備えることができる。ネットワークノードは、本明細書で開示されるタスク、特徴、機能、および方法を実行するために必要とされるハードウェアおよび／またはソフトウェアの任意の適切な組合せを備えることを理解されたい。さらに、ネットワークノード８６０の構成要素はより大きなボックス内に配置された単一のボックスとして、または複数のボックス内にネストされて描かれているが、実際にはネットワークノードが単一の図示された構成要素を構成する複数の異なる物理構成要素を含むことができる（例えば、デバイス可読媒体８８０は複数の個別のハードドライブと、複数のランダムアクセスメモリ（ＲＡＭ）モジュールとを含むことができる）。
【００７６】
同様に、ネットワークノード８６０は複数の物理的に別個の構成要素（例えば、ノードＢ構成要素およびＲＮＣ構成要素、またはＢＴＳ構成要素およびＢＳＣ構成要素など）から構成されてもよく、それらはそれぞれ、それら自体のそれぞれの構成要素を有する可能性がある。ネットワークノード８６０が複数の別個の構成要素（例えば、ＢＴＳおよびＢＳＣ構成要素）を備える特定のシナリオでは、別個の構成要素のうちの１つまたは複数がいくつかのネットワークノード間で共有され得る。たとえば、１つのＲＮＣが複数のノードＢを制御する場合がある。このようなシナリオでは、固有のノードＢとＲＮＣの各ペアが１つの個別のネットワークノードと見なされる場合がある。いくつかの実施形態では、ネットワークノード８６０が複数の無線アクセス技術（ＲＡＴ）をサポートするように構成され得る。そのような実施形態ではいくつかの構成要素が複製されてもよく（例えば、異なるＲＡＴのための別個のデバイス可読媒体８８０）、いくつかの構成要素は再使用されてもよい（例えば、同じアンテナ８６２はＲＡＴによって共有されてもよい）。ネットワークノード８６０はまた、例えば、ＧＳＭ、広帯域符号分割多元接続（ＷＣＤＭＡ）、ＬＴＥ、ＮＲ、ＷｉＦｉ、またはＢｌｕｅｔｏｏｔｈ無線技術のような、ネットワークノード８６０に統合された異なる無線技術のための様々な図示された構成要素の複数のセットを含んでもよい。これらの無線技術は、ネットワークノード８６０内の同じまたは異なるチップまたはチップの設定および他の構成要素に統合され得る。
【００７７】
処理回路８７０はネットワークノードによって提供されるものとして本明細書で説明される任意の決定、計算、または類似の操作（例えば、特定の取得操作）を実行するように構成される。処理回路８７０によって実行されるこれらの動作は例えば、取得された情報を他の情報に変換すること、取得された情報または変換された情報をネットワークノードに格納された情報と比較すること、および／または取得された情報または変換された情報に基づいて１つ以上の動作を実行すること、および前記処理の結果として判定を行うことによって、処理回路８７０によって取得された情報を処理することを含み得る。
【００７８】
処理回路８７０はマイクロプロセッサ、コントローラ、マイクロコントローラ、中央処理装置（ＣＰＵ）、デジタル信号プロセッサ（ＤＳＰ）、特定用途向け集積回路（ＡＳＩＣ）、フィールド・プログラマブル・ゲート・アレイ（ＦＰＧＡ）、または任意の他の適切なコンピューティングデバイス、リソース、またはハードウェア、ソフトウェア、および／または符号化ロジックの組合せのうちの１つ以上の組合せを備えることができ、これらは、単独で、またはデバイス可読媒体８８０、ネットワークノード８６０機能などの他のネットワークノード８６０構成要素と併せてのいずれかで提供するように動作可能である。例えば、処理回路８７０は、デバイス可読媒体８８０または処理回路８７０内のメモリに格納された命令を実行することができる。そのような機能は、本明細書で説明される各種無線特徴、機能、または利益のいずれかを提供することを含むことができる。一部の実施形態において、処理回路８７０はチップ上のシステム（ＳＯＣ）を含むことができる。
【００７９】
いくつかの実施形態では、処理回路８７０が無線周波数トランシーバ回路８７２およびベースバンド処理回路８７４のうちの１つ以上を含んでもよい。いくつかの実施形態では、ＲＦトランシーバ回路８７２およびベースバンド処理回路８７４が無線ユニットおよびデジタルユニットなどの、別個のチップ（またはチップの設定）、ボード、またはユニット上にあってもよい。代替実施形態では、ＲＦトランシーバ回路８７２およびベースバンド処理回路８７４の一部または全部が同じチップまたはチップ、ボード、またはユニットのセット上にあってもよい
【００８０】
いくつかの実施形態ではネットワークノード、基地局、ｅＮＢ、または他のそのようなネットワークデバイスによって提供されるものとして本明細書で説明される機能の一部またはすべてはデバイス可読媒体８８０または処理回路８７０内のメモリ上に格納された命令を実行する処理回路８７０によって実行され得る。代替の実施形態では、機能のいくつかまたはすべてはハードワイヤード方式などで、別個のまたは個別のデバイス可読媒体上に格納された命令を実行することなく、処理回路８７０によって提供され得る。これらの実施形態のいずれにおいても、デバイス可読記憶媒体上に記憶された命令を実行するか否かにかかわらず、処理回路８７０は、説明された機能を実行するように構成され得る。そのような機能性によって提供される利点は、処理回路８７０単独またはネットワークノード８６０の他の構成要素に限定されず、ネットワークノード８６０全体によって、および／またはエンドユーザおよび無線ネットワーク全体によって享受される。
【００８１】
デバイス可読可能媒体８８０は限定されるものではないが、永続的記憶装置、ソリッドステートメモリ、リモートマウントメモリ、磁気媒体、光学媒体、ＲＡＭ、可読専用メモリ、大容量記憶媒体（例えば、ハードディスク）、取り外し可能記憶媒体（例えば、フラッシュドライブ、コンパクトディスク（ＣＤ）またはデジタルビデオディスク（ＤＶＤ））、および／または処理回路８７０によって使用され得る情報、データ、および／または命令を記憶する他の任意の揮発性または不揮発性、一時的でないデバイス可読可能および／またはコンピュータ実行可能記憶デバイスを含む、任意の形態の揮発性または不揮発性コンピュータ可読可能メモリを含むことができる。デバイス可読媒体８８０は、コンピュータプログラム、ソフトウェア、ロジック、ルール、コード、テーブルなどのうちの１つまたは複数を含むアプリケーション、および／または処理回路８７０によって実行され、ネットワークノード８６０によって利用されることが可能な他の命令を含む、任意の適切な命令、データ、または情報を格納することができる。デバイス可読媒体８８０は、処理回路８７０によって行われた任意の計算、および／またはインターフェース８９０を介して受信された任意のデータを格納するために使用され得る。いくつかの実施形態では、処理回路８７０およびデバイス読み取り可能媒体８８０が集積されていると考えられてもよい。
【００８２】
インターフェース８９０は、ネットワークノード８６０、ネットワーク８０６、および／またはＷＤ８１０間の信号および／またはデータの有線または無線通信に使用される。図示のように、インターフェース８９０は、例えば有線接続を介してネットワーク８０６との間でデータを送受信するためのポート／端子８９４を備える。インターフェース８９０はまた、アンテナ８６２の一部に結合され得る、または特定の実施形態では無線フロントエンド回路８９２を含む。無線フロントエンド回路８９２は、フィルタ８９８および増幅器８９６を含む。無線フロントエンド回路８９２は、アンテナ８６２および処理回路８７０に接続されてもよい。無線フロントエンド回路は、アンテナ８６２と処理回路８７０との間で通信される信号を条件付けるように構成されてもよい。無線フロントエンド回路８９２は、無線接続を介して他のネットワークノードまたはＷＤに送出されるデジタルデータを受信することができる。無線フロントエンド回路８９２は、フィルタ８９８および／または増幅器８９６の組合せを使用して、デジタルデータを適切なチャネルおよび帯域幅パラメータを有する無線信号に変換することができる。次いで、無線信号は、アンテナ８６２を介して送信されてもよい。同様に、データを受信する場合、アンテナ８６２は無線信号を収集し、次いで、無線フロントエンド回路８９２によってデジタルデータに変換されてもよい。デジタルデータは、処理回路８７０に渡されてもよい。他の実施形態では、インターフェースが異なる構成要素および／または構成要素の異なる組合せを含むことができる。
【００８３】
特定の代替実施形態では、ネットワークノード８６０が別個の無線フロントエンド回路８９２を含んでもよく、代わりに、処理回路８７０は無線フロントエンド回路を含んでもよく、別個の無線フロントエンド回路８９２を伴わずに、アンテナ８６２に接続されてもよい。同様に、いくつかの実施形態では、ＲＦトランシーバ回路８７２のすべてまたは一部がインターフェース８９０の一部とみなされてもよい。さらに他の実施形態ではインターフェース８９０が無線ユニット（図示せず）の一部として、１つ以上のポートまたは端子８９４、無線フロントエンド回路８９２、およびＲＦトランシーバ回路８７２を含むことができ、インターフェース８９０はデジタルユニット（図示せず）の一部であるベースバンド処理回路８７４と通信することができる。
【００８４】
アンテナ８６２は、無線信号を送信および／または受信するように構成された１つ以上のアンテナ、またはアンテナアレイを含み得る。アンテナ８６２は無線フロントエンド回路８９０に結合することができ、データおよび／または信号を無線で送受信することができる任意のタイプのアンテナとすることができる。いくつかの実施形態では、アンテナ８６２が例えば、２ギガヘルツ（ＧＨｚ）と６６ＧＨｚとの間で無線信号を送信／受信するように動作可能な１つ以上の全方向性アンテナ、セクタアンテナ、またはパネルアンテナを備えることができる。無指向性アンテナは任意の方向に無線信号を送信／受信するために使用されてもよく、セクタアンテナは特定のエリア内のデバイスから無線信号を送信／受信するために使用されてもよく、パネルアンテナは比較的直線で無線信号を送信／受信するために使用される見通し線（line of sight）アンテナであってもよい。いくつかの例では、２つ以上のアンテナの使用が多入力多出力（ＭＩＭＯ）と呼ばれ得る。いくつかの実施形態では、アンテナ８６２がネットワークノード８６０とは別個であってもよく、インターフェースまたはポートを介してネットワークノード８６０に接続可能であってもよい。
【００８５】
アンテナ８６２、インターフェース８９０、および／または処理回路８７０は、ネットワークノードによって実行されるものとして本明細書で説明される任意の受信動作および／または特定の取得動作を実行するように構成され得る。任意の情報、データ、および／または信号は、無線デバイス、別のネットワークノード、および／または任意の他のネットワーク機器から受信され得る。同様に、アンテナ８６２、インターフェース８９０、および／または処理回路８７０は、ネットワークノードによって実行されるものとして、本明細書に記載される任意の送信動作を実行するように構成されてもよい。任意の情報、データ、および／または信号は、無線デバイス、別のネットワークノード、および／または任意の他のネットワーク機器に送信され得る。
【００８６】
電力回路８８７は、電力管理回路を備えてもよく、または電力管理回路に結合されてもよく、本明細書に記載される機能を実行するための電力をネットワークノード８６０の構成要素に供給するように構成される。電力回路８８７は、電源８８６から電力を受け取ってもよい。電源８８６および／または電力回路８８７はそれぞれの構成要素に適した形式でネットワークノード８６０の様々な構成要素に電源を提供するように構成されてもよい（例えば、各構成要素に必要な圧及び現在のレベルで）。電源８８６は、電力回路８８７および／またはネットワークノード８６０に含まれるか、または外部から構成されてもよい。例えば、ネットワークノード８６０は電気ケーブルなどの入力回路またはインターフェースを介して、外部電源（例えば、電気コンセント）に接続可能であってもよく、それによって、外部電源は、電力回路８８７に電力を供給する。さらなる例として、電源８８６は、電力回路８８７に接続される、または集積される、バッテリまたはバッテリパックの形態の電源を含んでもよい。バッテリは、外部電源が故障した場合にバックアップ電力を供給することができる。光起電装置のような他のタイプの電源も使用することができる。
【００８７】
ネットワークノード８６０の代替的な実施形態は、本明細書で説明される機能性のいずれか、および／または本明細書で説明される主題をサポートするために必要な任意の機能性を含む、ネットワークノードの機能性のある態様を提供する責任を負うことができる、図８に示されるものを超える追加の構成要素を含むことができる。例えば、ネットワークノード８６０はネットワークノード８６０への情報の入力を可能にし、ネットワークノード８６０からの情報の出力を可能にするユーザインターフェース装置を含むことができる。これにより、ユーザは、ネットワークノード８６０の診断、保守、修理、および他の管理機能を実行することができる。
【００８８】
本明細書で使用されるように、ＷＤは、ネットワークノードおよび／または他の無線デバイスと無線に通信することができる、構成される、配置される、および／または動作可能なデバイスを指す。特に断らない限り、用語ＷＤは、本明細書ではＵＥと互換的に使用され得る。無線通信は、電磁波、電波、赤外線、および／またはエアを介して情報を伝達するのに適した他のタイプの信号を使用して、無線信号を送信および／または受信することを伴ってもよい。いくつかの実施形態では、ＷＤが直接的な人間の対話なしに情報を送信および／または受信するように構成され得る。例えば、ＷＤは内部イベントまたは外部イベントによってトリガされたとき、またはネットワークからの要求に応答して、所定のスケジュールでネットワークに情報を送信するように設計され得る。ＷＤの例としてはスマートフォン、携帯電話、携帯電話、Voice over Internet Protocol(IP)(VoIP)電話、無線ローカルループ電話、デスクトップコンピュータ、パーソナルデジタルアシスタント（ＰＤＡ）、無線カメラ、ゲームコンソールまたはデバイス、音楽記憶装置、再生アプライアンス、ウェアラブル端末デバイス、無線エンドポイント、モバイルステーション、タブレット、ラップトップ、ラップトップ組み込み機器（ＬＥＥ）、ラップトップ組み込み機器（ＬＭＥ）、スマートデバイス、無線顧客構内機器（ＣＰＥ）、車両搭載無線端末デバイスなどが挙げられるが、これらに限定されない。ＷＤは例えば、サイドランク通信のための３ＧＰＰ標準を実装することによって、デバイスツーデバイス（Ｄｅｖｉｃｅ-ｔｏ-Ｄｅｖｉｃｅ：Ｄ２Ｄ）通信をサポートすることができ、この場合、Ｄ２Ｄ通信装置と呼ばれることができる。さらに別の特定の例として、ＩｏＴ（Internet of Things（モノのインターネット））シナリオでは、ＷＤが監視および／または測定を実行し、そのような監視および／または測定の結果を別のＷＤおよび／またはネットワークノードに送信する機械または他のデバイスを表すことができる。この場合、ＷＤはマシンツーマシン（Ｍ２Ｍ）デバイスとすることができ、３ＧＰＰ文脈では、マシンタイプ通信（ＭＴＣ）デバイスと呼ばれることができる。１つの特定の例として、ＷＤは、３ＧＰＰ  Narrowband ＩｏＴ（ＮＢ−ＩｏＴ）標準規格を実装するＵＥであり得る。そのような機械または装置の特定の例はセンサ、電力計、産業機械などの計量装置、または家庭用もしくは個人用機器（例えば、冷蔵庫、テレビなど）、個人用ウェアラブル（例えば、時計、フィットネストラッカなど）である。他のシナリオでは、ＷＤがその動作状態またはその動作に関連する他の機能を監視および／または報告することができる車両または他の機器を表すことができる。上述のＷＤは無線接続のエンドポイントを表すことができ、この場合、装置は、ワイヤレス端末と呼ばれることができる。さらに、上述したようなＷＤは、モバイルであってもよく、その場合、モバイルデバイスまたはモバイル端末とも呼ばれてもよい。
【００８９】
図示のように、無線デバイス８１０は、アンテナ８１１、インターフェース８１４、処理回路８２０、機器読み取り可能媒体８３０、ユーザインターフェース機器８３２、補助装置８３４、電源８３６、および電力回路８３７を含む。ＷＤ８１０はほんの数例を挙げると、たとえば、ＧＳＭ、ＷＣＤＭＡ、ＬＴＥ、ＮＲ、ＷｉＦｉ、ＷｉＭＡＸ、またはＢｌｕｅｔｏｏｔｈ無線技術、ＷＤ８１０によってサポートされる異なる無線技術のための例示された構成要素のうちの１つ以上の複数のセットを含むことができる。これらの無線技術は、ＷＤ８１０内の他のコンポーネントと同じまたは異なるチップまたはチップの設定に統合され得る。
【００９０】
アンテナ８１１は無線信号を送信および／または受信するように構成された１つ以上のアンテナまたはアンテナアレイを含むことができ、インターフェース８１４に接続される。特定の代替実施形態では、アンテナ８１１がＷＤ８１０とは別個であってもよく、インターフェースまたはポートを介してＷＤ８１０に接続可能であってもよい。アンテナ８１１、インターフェース８１４、および／または処理回路８２０は、ＷＤによって実行されるものとして、本明細書に記載される任意の受信または送信動作を実行するように構成されてもよい。任意の情報、データ、および／または信号が、ネットワークノードおよび／または別のＷＤから受信され得る。いくつかの実施形態では、無線フロントエンド回路および／またはアンテナ８１１がインターフェースとみなされてもよい。
【００９１】
図示されるように、インターフェース８１４は、無線フロントエンド回路８１２およびアンテナ８１１を備える。無線フロントエンド回路８１２は、１つ以上のフィルタ８１８および増幅器８１６を備える。無線フロントエンド回路８１４は、アンテナ８１１および処理回路８２０に接続され、アンテナ８１１と処理回路８２０との間で通信される信号を調整するように構成される。無線フロントエンド回路８１２は、アンテナ８１１に結合されてもよく、またはその一部であってもよい。一部の実施形態ではＷＤ８１０が別個の無線フロントエンド回路８１２を含まなくてもよく、むしろ、処理回路８２０は無線フロントエンド回路を含んでもよく、アンテナ８１１に接続されてもよい。同様に、いくつかの実施形態では、ＲＦトランシーバ回路８２２の一部または全部がインターフェース８１４の一部とみなされてもよい。無線フロントエンド回路８１２は、無線接続を介して他のネットワークノードまたはＷＤに送出されるデジタルデータを受信することができる。無線フロントエンド回路８１２は、フィルタ８１８および／または増幅器８１６の組合せを使用して、デジタルデータを適切なチャネルおよび帯域幅パラメータを有する無線信号に変換することができる。次いで、無線信号は、アンテナ８１１を介して送信されてもよい。同様に、データを受信する場合、アンテナ８１１は無線信号を収集し、次いで、無線フロントエンド回路８１２によってデジタルデータに変換されてもよい。デジタルデータは、処理回路８２０に渡されてもよい。他の実施形態では、インターフェースが異なる構成要素および／または構成要素の異なる組合せを含むことができる。
【００９２】
処理回路８２０はマイクロプロセッサ、コントローラ、マイクロコントローラ、ＣＰＵ、ＤＳＰ、ＡＳＩＣ、ＦＰＧＡ、または任意の他の適切なコンピューティングデバイス、リソース、またはハードウェア、ソフトウェア、および／または符号化ロジックの組合せのうちの１つ以上の組合せを備えることができ、これらは、単独で、またはデバイス可読媒体８３０、ＷＤ８１０機能性などの他のＷＤ８１０構成要素と併せてのいずれかで提供するように動作可能である。そのような機能は、本明細書で説明される各種ワイヤレス特徴または利点のいずれかを提供することを含むことができる。例えば、処理回路８２０は本明細書で開示される機能を提供するために、デバイス可読媒体８３０または処理回路８２０内のメモリに格納された命令を実行することができる。
【００９３】
図示されるように、処理回路８２０は、ＲＦトランシーバ回路８２２、ベースバンド処理回路８２４、およびアプリケーション処理回路８２６のうちの１つ以上を含む。他の実施形態では、処理回路が異なる構成要素および／または構成要素の異なる組み合わせを含むことができる。特定の実施形態では、ＷＤ８１０の処理回路８２０がＳＯＣを備えることができる。いくつかの実施形態ではＲＦトランシーバ回路８２２、ベースバンド処理回路８２４、およびアプリケーション処理回路８２６は別個のチップまたはチップセット上にあってもよい。代替実施形態ではベースバンド処理回路８２４およびアプリケーション処理回路８２６の一部または全部が１つのチップまたはチップの設定に組み合わされてもよく、ＲＦトランシーバ回路８２２は別個のチップまたはチップの設定上にあってもよい。さらに代替の実施形態ではＲＦトランシーバ回路８２２およびベースバンド処理回路８２４の一部または全部が同一チップまたはチップセット上にあってもよく、アプリケーション処理回路８２６は別個のチップまたはチップセット上にあってもよい。さらに他の代替実施形態では、ＲＦトランシーバ回路８２２、ベースバンド処理回路８２４、およびアプリケーション処理回路８２６の一部または全部が同一チップまたは一組のチップ内で組み合わされてもよい。いくつかの実施形態では、ＲＦトランシーバ回路８２２がインターフェース８１４の一部であってもよい。ＲＦトランシーバ回路８２２は、処理回路８２０のためのＲＦ信号を条件付けてもよい。
【００９４】
特定の実施形態では、ＷＤによって実行されるものとして本明細書で説明される機能の一部またはすべては特定の実施形態ではコンピュータ可読記憶媒体とすることができるデバイス可読媒体８３０上に記憶された命令を実行する処理回路８２０によって提供することができる。代替の実施形態では、機能のいくつかまたはすべてはハードワイヤード方式などで、別個のまたは個別のデバイス可読記憶媒体上に記憶された命令を実行することなく、処理回路８２０によって提供され得る。これらの特定の実施形態のいずれにおいても、デバイス可読記憶媒体上に記憶された命令を実行するか否かにかかわらず、処理回路８２０は、説明された機能を実行するように構成され得る。そのような機能性によって提供される利点は、処理回路８２０単独またはＷＤ８１０の他の構成要素に限定されず、ＷＤ８１０全体によって、および／またはエンドユーザおよび無線ネットワーク全体によって享受される。
【００９５】
処理回路８２０はＷＤによって実行されるものとして本明細書で説明される任意の決定、計算、または類似の操作（たとえば、ある取得操作）を実行するように構成され得る。これらの動作は処理回路８２０によって実行されるように、例えば、取得された情報を他の情報に変換すること、取得された情報または変換された情報をＷＤ８１０によって記憶された情報と比較すること、および／または取得された情報または変換された情報に基づいて１つ以上の動作を実行すること、および前記処理の結果として決定を行うことによって、処理回路８２０によって取得された情報を処理することを含み得る。
【００９６】
デバイス可読媒体８３０は、コンピュータプログラム、ソフトウェア、ロジック、ルール、コード、表などのうちの１つまたは複数を含むアプリケーション、および／または処理回路８２０によって実行されることが可能な他の命令を格納するように動作可能であり得る。デバイス可読媒体８３０はコンピュータメモリ（例えば、ＲＡＭまたはＲＯＭ）、大容量記憶媒体（例えば、ハードディスク）、リムーバブル記憶媒体（例えば、ＣＤまたはＤＶＤ）、および／または、処理回路８２０によって使用され得る情報、データ、および／または命令を記憶する任意の他の揮発性または不揮発性の不揮発性デバイス可読および／またはコンピュータ実行可能メモリ装置を含み得る。いくつかの実施形態では、処理回路８２０およびデバイス読み取り可能媒体８３０が集積されていると考えられてもよい。
【００９７】
ユーザインターフェース機器８３２は、人間のユーザがＷＤ８１０と対話することを可能にするコンポーネントを提供することができる。このような相互作用は、視覚的、聴覚的、触覚的などの多くの形態であり得る。ユーザインターフェース機器８３２はユーザに出力を生成し、ユーザがＷＤ８１０に入力を提供することを可能にするように動作可能であり得る。対話のタイプは、ＷＤ８１０にインストールされたユーザインターフェース機器８３２のタイプに応じて変わり得る。例えば、ＷＤ８１０がスマートフォンである場合、相互作用はタッチスクリーンを介して行われてもよく、ＷＤ８１０がスマートメータである場合、相互作用は使用量（例えば、使用されるガロン数）を提供するスクリーン、または可聴警報（例えば、煙が検出される場合）を提供するスピーカを介して行われてもよい。ユーザインターフェース機器８３２は、入力インターフェース、装置及び回路、ならびに出力インターフェース、装置及び回路を含み得る。ユーザインターフェース機器８３２は、ＷＤ８１０への情報の入力を可能にするように構成され、処理回路８２０に接続されて、処理回路８２０が入力情報を処理することを可能にする。ユーザインターフェース機器８３２は例えば、マイクロフォン、近接または他のセンサ、キー／ボタン、タッチディスプレイ、１つ以上のカメラ、ユニバーサルシリアルバス（ＵＳＢ）ポート、または他の入力回路を含むことができる。ユーザインターフェース機器８３２はまた、ＷＤ８１０からの情報の出力を可能にし、処理回路８２０がＷＤ８１０から情報を出力することを可能にするように構成される。ユーザインターフェース機器８３２は例えば、スピーカ、ディスプレイ、振動回路、ＵＳＢポート、ヘッドホンインターフェース、または他の出力回路を含み得る。ユーザインターフェース機器８３２の１つ以上の入出力インターフェース、デバイス、および回路を使用して、ＷＤ８１０はエンドユーザおよび／または無線ネットワークと通信することができ、本明細書で説明する機能性からの利益をエンドユーザおよび／または無線ネットワークに与えることができる。
【００９８】
補助装置８３４は、ＷＤによって一般に実行されない可能性があるより具体的な機能を提供するように動作可能である。これは、様々な目的のために測定を行うための専用センサ、有線通信などの追加のタイプの通信のためのインターフェースを含むことができる。補助装置８３４の構成要素の含有及び種類は、実施例および／またはシナリオに応じて変わり得る。
【００９９】
電源８３６は、一部の実施形態ではバッテリまたはバッテリパックの形態であってもよい。外部電源（例えば、電気コンセント）、光起電力デバイス、またはパワーセルなどの他のタイプの電源も使用することができる。ＷＤ８１０はさらに、電源８３６からの電力を、電源８３６からの電力を必要とするＷＤ８１０の様々な部分に送り、本明細書に記載または示される任意の機能を実行するための電力回路８３７を含んでもよい。電力回路８３７は、特定の実施形態では電力管理回路を備えてもよい。電力回路８３７は追加的または代替的に、外部電源から電力を受け取るように動作可能であってもよく、その場合、ＷＤ８１０は、入力回路または電力ケーブルなどのインターフェースを介して、外部電源（電気コンセントなど）に接続可能であってもよい。また、特定の実施形態において、電力回路８３７は、外部電源から電源８３６に電力を送達するように動作可能であってもよい。これは、例えば、電源８３６の充電のためであってもよい。電力回路８３７は電力が供給されるＷＤ８１０のそれぞれの構成要素に適した電力にするために、電源８３６からの電力に対して、任意のフォーマット、変換、または他の修正を実行することができる。
【０１００】
図９は、本明細書で説明される様々な態様によるＵＥの一実施形態を示す。本明細書で使用されるように、ユーザ装置またはＵＥは必ずしも、関連するデバイスを所有し、および／または操作する人間のユーザという意味でユーザを有するとは限らない。代わりに、ＵＥは人間のユーザへの販売または人間のユーザによる操作が意図されているが、最初は特定の人間のユーザに関連付けられていてもいなくてもよい、または関連付けられていなくてもよいデバイスを表してもよい。ＵＥはまた、人間のユーザへの販売または人間のユーザによる動作が意図されていないＮＢ−ＩｏＴ ＵＥを含む、３ＧＰＰによって識別される任意のＵＥを備えることができる。ＵＥ９００は、図９に示されるように、３ＧＰＰのＧＳＭ、ＵＭＴＳ、ＬＴＥ、および／または５Ｇ標準規格のような、３ＧＰＰによって公布される１つ以上の通信標準規格に従って通信するように構成されたＷＤの一例である。前述のように、用語ＷＤおよびＵＥは、互換的に使用され得る。したがって、図９はＵＥであるが、本明細書で説明される構成要素はＷＤに等しく適用可能であり、その逆もまた同様である。
【０１０１】
図９では、ＵＥ９００が入出力インターフェース９０５、ＲＦインターフェース９０９、ネットワーク接続インターフェース９１１、ＲＡＭ９１７、ＲＯＭ９１９、および記憶媒体９２１などを含むメモリ９１５、通信サブシステム９３１、電源９３３、および／または任意の他の構成要素、またはそれらの任意の組合せに動作可能に結合された処理回路９０１を含む。記憶媒体９２１は、オペレーティングシステム９２３、アプリケーションプログラム９２５、およびデータ９２７を含む。他の実施形態では、記憶媒体９２１が他の同様のタイプの情報を含むことができる。いくつかのＵＥは、図９に示される構成要素のすべて、または構成要素のサブセットのみを利用し得る。コンポーネント間の統合のレベルは、１つのＵＥから別のＵＥへと変化し得る。さらに、いくつかのＵＥは、複数のプロセッサ、メモリ、トランシーバ、送信機、受信機など、コンポーネントの複数のインスタンスを含み得る。
【０１０２】
図９では、処理回路９０１がコンピュータ命令およびデータを処理するように構成されてもよい。処理回路９０１は１つ以上のハードウェア実装状態機械（例えば、個別論理、ＦＰＧＡ、ＡＳＩＣなど）、適切なファームウェアとともにプログラマブル論理、適切なソフトウェアとともに１つ以上の格納プログラム、マイクロプロセッサまたはＤＳＰなどの汎用プロセッサ、または上記の任意の組合せなど、機械可読コンピュータプログラムとしてメモリに格納された機械命令を実行するように動作する任意の順次状態機械を実装するように構成され得る。例えば、処理回路９０１は、２つのＣＰＵを含むことができる。データは、コンピュータによる使用に適した形式の情報であってもよい。
【０１０３】
図示された実施形態では、入力／出力インターフェース９０５が入力デバイス、出力装置、または入力および出力装置への通信インターフェースを提供するように構成され得る。ＵＥ９００は、入力／出力インターフェース９０５を介して出力デバイスを使用するように構成され得る。出力デバイスは、入力デバイスと同じタイプのインターフェースポートを使用することができる。例えば、ＵＳＢポートを使用して、ＵＥ９００との間で入力および出力を行うことができる。出力デバイスは、スピーカ、サウンドカード、ビデオカード、ディスプレイ、モニタ、プリンタ、アクチュエータ、エミッタ、スマートカード、他の出力デバイス、またはそれらの任意の組み合わせであり得る。ＵＥ９００はユーザがＵＥ９００に情報をキャプチャすることを可能にするために、入力／出力インターフェース９０５を介して入力デバイスを使用するように構成され得る。入力デバイスはタッチセンシティブまたはプレゼンスセンシティブディスプレイ、カメラ（例えば、デジタルカメラ、デジタルビデオカメラ、ウェブカメラなど）、マイクロフォン、センサ、マウス、トラックボール、方向パッド、トラックパッド、スクロールホイール、スマートカードなどを含むことができる。プレゼンスセンシティブディスプレイは、ユーザからの入力を感知するための容量性または抵抗性タッチセンサを含むことができる。センサは例えば、加速度計、ジャイロスコープ、傾斜センサ、力センサ、磁力計、光学センサ、近接センサ、別の同様のセンサ、またはそれらの任意の組合せとすることができる。例えば、入力装置は、加速度計、磁力計、デジタルカメラ、マイクロフォン、および光センサであってもよい。
【０１０４】
図９では、ＲＦインターフェース９０９が送信機、受信機、およびアンテナなどのＲＦ構成要素に通信インターフェースを提供するように構成されてもよい。ネットワーク接続インターフェース９１１は、ネットワーク９４３ａへの通信インターフェースを提供するように構成され得る。ネットワーク９４３ａは、有線および／または無線ネットワーク、例えばＬＡＮ、ＷＡＮ、コンピュータネットワーク、無線ネットワーク、電気通信ネットワーク、他の同様のネットワーク、またはこれらの任意の組合せを含むことができる。例えば、ネットワーク９４３ａは、ＷｉＦｉネットワークを構成することができる。ネットワーク接続インターフェース９１１は、イーサネット、ＴＣＰ（Transmission Control Protocol）／ＩＰ、ＳＯＮＥＴ（Synchronous Optical Networking）、ＡＴＭ（Asynchronous Transfer Mode）などの１つ以上の通信プロトコルに従って、通信ネットワークを介して１つ以上の他のデバイスと通信するために使用される受信機および送信機インターフェースを含むように構成することができる。ネットワーク接続インターフェース９１１は通信ネットワークリンク（例えば、光、電気など）に適切な受信機および送信機機能を実装し得る。送信機機能および受信機機能は回路構成要素、ソフトウェア、またはファームウェアを共有することができ、あるいは、別々に実装することができる。
【０１０５】
ＲＡＭ ９１７はオペレーティングシステム、アプリケーションプログラム、およびデバイスドライバなどのソフトウェアプログラムの実行中にデータまたはコンピュータ命令の記憶またはキャッシュを提供するために、バス９０２を介して処理回路９０１にインターフェースするように構成することができる。ＲＯＭ ９１９は、コンピュータ命令またはデータを処理回路９０１に提供するように構成することができる。例えば、ＲＯＭ ９１９は、不揮発性メモリに記憶されたキーボードからの基本的な入出力、スタートアップ、またはキーストロークの受信のような基本的なシステム機能のための不変な低レベルのシステムコードまたはデータを記憶するように構成されてもよい。記憶媒体９２１は、ＲＡＭ、ＲＯＭ、Programmable ＲＯＭ、Erasable ＰＲＯＭ、ＥＰＲＯＭ、Electrically ＥＰＲＯＭ、磁気ディスク、光ディスク、フロッピーディスク、ハードディスク、リムーバブルカートリッジ、またはフラッシュドライブなどのメモリを含むように構成することができる。一例では、記憶媒体９２１がオペレーティングシステム９２３、ウェブブラウザアプリケーション、ウィジェットまたはガジェットエンジンまたは別のアプリケーションなどのアプリケーションプログラム９２５、およびデータファイル９２７を含むように構成することができる。記憶媒体９２１はＵＥ９００によって使用するために、様々なオペレーティングシステムのうちの任意のもの、またはオペレーティングシステムの組合せを記憶することができる。
【０１０６】
記憶媒体９２１は、独立ディスク冗長アレイ（ＲＡＩＤ）、フロッピー（登録商標）ディスクドライブ、フラッシュメモリ、ＵＳＢフラッシュドライブ、外部ハードディスクドライブ、サムドライブ、ペンドライブ、キードライブ、高密度ＤＶＤ(ＨＤ−ＤＶＤ）光ディスクドライブ、内部ハードディスクドライブ、ブルーレイ光ディスクドライブ、ホログラフィックデジタルデータストレージ（ＨＤＤＳ）光ディスクドライブ、外部ミニデュアルインラインメモリモジュール（ＤＩＭＭ）、同期ダイナミックＲＡＭ(ＳＤＲＡＭ)、外部マイクロＤＩＭＭ ＳＤＲＡＭ、加入者識別モジュール（ＳＩＭ）またはリムーバブルユーザ識別（ＲＵＩＭ）モジュールなどのスマートカードメモリ、他のメモリ、またはそれらの任意の組合せなど、いくつかの物理駆動部含むように構成され得る。記憶媒体９２１はＵＥ９００が一時的または非一時的記憶媒体に記憶されたコンピュータ実行可能命令、アプリケーションプログラム等にアクセスし、データをオフロードし、またはデータをアップロードすることを可能にし得る。通信システムを利用するものなどの製造品は、デバイス可読媒体を備えることができる記憶媒体９２１内に有形に具現化することができる。
【０１０７】
図９では、処理回路９０１が通信サブシステム９３１を使用してネットワーク９４３ｂと通信するように構成されてもよい。ネットワーク９４３ａおよびネットワーク９４３ｂは同じネットワークであってもよいし、異なるネットワークであってもよい。通信サブシステム９３１は、ネットワーク９４３ｂと通信するために使用される１つ以上のトランシーバを含むように構成することができる。例えば、通信サブシステム９３１は、ＩＥＥＥ ８０２．８、符号分割多元接続（ＣＤＭＡ）、ＷＣＤＭＡ、ＧＳＭ、ＬＴＥ、ＵＴＲＡＮ（Universal Terrestrial Radio Access Network）、ＷｉＭａｘなどの１つ以上の通信プロトコルに従って、無線アクセスネットワーク（ＲＡＮ）の別のＷＤ、ＵＥ、または基地局などの無線通信が可能な別のデバイスの１つ以上のリモートトランシーバと通信するために使用される１つ以上のトランシーバを含むように構成され得る。各トランシーバは、ＲＡＮリンク（例えば、周波数割り当てなど）に適切な送信機または受信機機能をそれぞれ実装するために、送信機９３３および／または受信機９３５を含んでもよい。さらに、各トランシーバの送信機９３３および受信機９３５は回路構成要素、ソフトウェア、またはファームウェアを共有してもよく、あるいは別々に実装されてもよい。
【０１０８】
図示の実施形態では、通信サブシステム９３１の通信機能がデータ通信、音声通信、マルチメディア通信、ブルートゥース（登録商標）などの短距離通信、近距離通信、位置を決定するための全地球測位システム（ＧＰＳ）の使用などの位置ベース通信、別の同様の通信機能、またはそれらの任意の組合せを含むことができる。例えば、通信サブシステム９３１は、セルラ通信、ＷｉＦｉ通信、Ｂｌｕｅｔｏｏｔｈ通信、およびＧＰＳ通信を含むことができる。ネットワーク９４３ａは、有線および／または無線ネットワーク、例えばＬＡＮ、ＷＡＮ、コンピュータネットワーク、無線ネットワーク、電気通信ネットワーク、他の同様のネットワーク、またはこれらの任意の組合せを含むことができる。例えば、ネットワーク９４３ｂは、セルラネットワーク、ＷｉＦｉネットワーク、および／または近距離無線ネットワークであってもよい。電源９１３は、ＵＥ９００の構成要素に交流（ＡＣ）又は直流（ＤＣ）電力を供給するように構成することができる。
【０１０９】
本明細書で説明される特徴、利点、および／または機能は、ＵＥ９００の構成要素のうちの１つにおいて実装され得るか、またはＵＥ９００の複数の構成要素にわたって区分され得る。さらに、本明細書で説明される特徴、利点、および／または機能は、ハードウェア、ソフトウェア、またはファームウェアの任意の組合せで実装され得る。一例では、通信サブシステム９３１が本明細書で説明される構成要素のいずれかを含むように構成され得る。さらに、処理回路９０１は、バス９０２を介してそのような構成要素のいずれかと通信するように構成されてもよい。別の例では、そのような構成要素のいずれも、処理回路９０１によって実行されるときに本明細書で説明される対応する機能を実行する、メモリに格納されたプログラム命令によって表され得る。別の実施例では、そのような構成要素のいずれかの機能が処理回路９０１と通信サブシステム９３１との間で区分され得る。別の例ではそのような構成要素のいずれかの計算集約的でない機能がソフトウェアまたはファームウェアで実装されてもよく、計算集約的な機能はハードウェアで実装されてもよい。
【０１１０】
図１０は、いくつかの実施形態によって実装される機能を仮想化することができる仮想化環境１０００を示す概略ブロック図である。本文脈では、仮想化手段が仮想化ハードウエアプラットフォーム、記憶装置、およびネットワーキングリソースを含むことができる装置またはデバイスの仮想バージョンを作成する。本明細書で使用されるように、仮想化はノード（例えば、仮想化された基地局または仮想化された無線アクセスノード）またはデバイス（例えば、ＵＥ、無線デバイス、または任意の他のタイプの通信デバイス）またはそれらの構成要素に適用されることができ、機能の少なくとも一部が１つ以上の仮想構成要素として（例えば、１つ以上のネットワーク内の１つ以上の物理処理ノード上で実行される１つ以上のアプリケーション、構成要素、機能、仮想マシン、またはコンテナを介して）実装される実装形態に関係する。
【０１１１】
いくつかの実施形態において、本明細書に記載する機能の一部または全部は、１つ以上のハードウェアノード１０３０によってホストされる１つ以上の仮想環境１０００内に実装される１つ以上の仮想マシンによって実行される仮想コンポーネントとして実装することができる。さらに、仮想ノードが無線アクセスノードでないか、または無線接続性を必要としない実施形態（例えば、コアネットワークノード）では、ネットワークノードを完全に仮想化することができる。
【０１１２】
機能は、本明細書で開示される実施形態のいくつかの特徴、機能、および／または利益のいくつかを実装するように動作する１つ以上のアプリケーション１０２０（代替として、ソフトウェアインスタンス、仮想アプライアンス、ネットワーク機能、仮想ノード、仮想ネットワーク機能などと呼ばれ得る）によって実装され得る。アプリケーション１０２０は、処理回路１０６０およびメモリ１０９０を備えるハードウェア１０３０を提供する仮想化環境１０００において実行される。メモリ１０９０は処理回路１０６０によって実行可能な命令１０９５を含み、それによって、アプリケーション１０２０は、本明細書で開示される特徴、利点、および／または機能のうちの１つまたは複数を提供するように動作可能である。
【０１１３】
仮想化環境１０００は商用オフザシェルフ（ＣＯＴＳ）プロセッサ、専用ＡＳＩＣ、またはデジタルもしくはアナログハードウェア構成要素もしくは専用プロセッサを含む任意の他のタイプの処理回路であってもよい、１つ以上のプロセッサまたは処理回路１０６０のセットを備える汎用または専用ネットワークハードウェアデバイス１０３０を備える。各ハードウェアデバイスは、処理回路１０６０によって実行される命令１０９５またはソフトウェアを一時的に格納するための非永続的メモリであり得るメモリ１０９０−１を備え得る。各ハードウェアデバイスは、物理ネットワークインターフェース１０８０を含むネットワークインターフェースカードとしても知られる、１つ以上のネットワークインターフェースコントローラ１０７０を含むことができる。各ハードウェアデバイスはまた、ソフトウェア１０９５および／または処理回路１０６０によって実行可能な命令を格納した、非一時的な、永続的な、機械可読記憶媒体１０９０−２を含むことができる。ソフトウェア１０９５は、１つ以上の仮想化レイヤ１０５０（ハイパーバイザとも呼ばれる）をインスタンス化するためのソフトウェア、仮想マシン１０４０を実行するためのソフトウェア、ならびに本明細書で説明されるいくつかの実施形態に関連して説明される機能、特徴、および／または利益を実行することを可能にするソフトウェアを含む、任意のタイプのソフトウェアを含むことができる。
【０１１４】
仮想マシン１０４０は仮想処理、仮想メモリ、仮想ネットワークワーキングまたはインターフェースおよび仮想ストレージを含み、対応する仮想化レイヤ１０５０またはハイパーバイザによって実行されてもよい。仮想アプライアンス１０２０のインスタンスの異なる実施形態は１つ以上の仮想マシン１０４０上で実装されてもよく、実装は異なる方法で行われてもよい。
【０１１５】
動作中、処理回路１０６０は、ソフトウェア１０９５を実行して、仮想マシンモニタ（ＶＭＭ）と呼ばれることもあるハイパーバイザまたは仮想化レイヤ１０５０をインスタンス化する。仮想化レイヤ１０５０は、ネットワークハードウェアのように見える仮想オペレーティングプラットフォームを仮想マシン１０４０に提示することができる。
【０１１６】
図１０に示すように、ハードウェア１０３０は、一般的または特定のコンポーネントを有するスタンドアロンネットワークノードであってもよい。ハードウェア１０３０はアンテナ１０２２５を備えることができ、仮想化を介していくつかの機能を実装することができる。あるいは、ハードウェア１０３０が多くのハードウェアノードが共に動作し、特にアプリケーション１０２０のライフサイクル管理を監視する管理および編成（Management and Orchestration（MANO））１０１００を介して管理される、より大きなハードウェアのクラスタ（例えば、データセンタまたはＣＰＥ内）の一部であってもよい。
【０１１７】
ハードウェアの仮想化は、Network Function Virtualization(NFV)と呼ばれるいくつかの文脈で行われる。ＮＦＶは、多くのネットワーク機器タイプを、データセンター内に配置することができる業界標準の大容量サーバハードウェア、物理スイッチ、および物理ストレージ、ならびにＣＰＥ上に統合するために使用することができる。
【０１１８】
ＮＦＶの文脈では、仮想マシン１０４０があたかも物理的な仮想化されていないマシン上で実行されているかのようにプログラムを実行する物理マシンのソフトウェア実装であってもよい。仮想マシン１０４０の各々、およびその仮想マシンを実行するハードウェア１０３０のその部分はその仮想マシン専用のハードウェアであり、および／または、その仮想マシンによって仮想マシン１０４０の他のものと共有されるハードウェアであり、別個の仮想ネットワーク要素（ＶＮＥ）を形成する。
【０１１９】
なお、ＮＦＶの文脈では、仮想ネットワーク機能（ＶＮＦ）がハードウェアネットワークインフラストラクチャ１０３０上の１つ以上の仮想マシン１０４０で実行され、図１０のアプリケーション１０２０に対応する特定のネットワーク機能を処理する責任がある。
【０１２０】
いくつかの実施形態では、それぞれが１つ以上の送信機１０２２０および１つ以上の受信機１０２１０を含む１つ以上の無線部１０２００が１つ以上のアンテナ１０２２５に結合され得る。無線部１０２００は１つ以上の適切なネットワークインターフェースを介してハードウェアノード１０３０と直接通信することができ、仮想構成要素と組み合わせて使用して、無線アクセスノードまたは基地局などの無線機能を仮想ノードに提供することができる。
【０１２１】
いくつかの実施形態では、いくつかの信号がハードウェアノード１０３０と無線ユニット１０２００との間の通信のために代替的に使用され得る制御系統１０２３０を使用して達成され得る。
【０１２２】
図１１を参照すると、実施形態に従って、通信システムは、無線アクセスネットワークなどのアクセスネットワーク１１１１を含む３ＧＰＰタイプのセルラネットワークなどの電気通信ネットワーク１１１０と、コアネットワーク１１１４とを含む。アクセスネットワーク１１１１はノードＢ、ｅＮＢ、ｇＮＢ、または他のタイプのワイヤレスアクセスポイントなどの複数の基地局１１１２ａ、１１１２ｂ、１１１２ｃを備え、それぞれは対応するカバレッジエリア１１１３ａ、１１１３ｂ、１１１３ｃを定義する。各基地局４１２ａ、１１１２ｂ、１１１２ｃは、有線または無線接続１１１５を介してコアネットワーク１１１４に接続可能である。カバレッジエリア１１１３ｃに位置する最初のＵＥ１１９１は、対応する基地局１１１２ｃと無線で接続されるか、またはポケットベルされるように構成されている。カバレッジエリア１１１３ａ内の第２のＵＥ１１９２は、対応する基地局１１１２ａに無線で接続可能である。この例では複数のＵＥ１４１２、１１９２が示されているが、開示された実施形態は単一のＵＥがカバレッジエリア内にある状況、または単一のＵＥが対応する基地局１１１２に接続している状況にも等しく適用可能である。
【０１２３】
電気通信ネットワーク１１１０はそれ自体、ホストコンピュータ１１３０に接続されており、それは、スタンドアローンサーバー、クラウド実行サーバー、分散サーバー、またはサーバーファームにおける処理リソースのハードウェアおよび／またはソフトウェアに具体化され得る。ホストコンピュータ１１３０はサービスプロバイダの所有権または制御下にあってもよいし、サービスプロバイダによって、またはサービスプロバイダの代わりに操作されてもよい。電気通信ネットワーク１１１０とホストコンピュータ１１３０との間のコネクション１１２１および１１２２は、コアネットワーク１１１４からホストコンピュータ１１３０まで直接延びてもよく、あるいは任意の中間ネットワーク１１２０を介して延びてもよい。中間ネットワーク１１２０はパブリック、私設、またはホストネットワークのうちの１つ、または複数の組合せであってもよく、中間ネットワーク１１２０はもしあれば、バックボーンネットワークまたはインターネットであってもよく、特に、中間ネットワーク１１２０は、２つ以上のサブネットワーク（図示せず）を含んでもよい。
【０１２４】
図１１の通信システム全体は、コネクティビティされたＵＥ１１９１、１１９２とホストコンピュータ１１３０との間のコネクティビティを可能にする。コネクション性は、オーバー・ザ・トップ（ＯＴＴ）コネクション１１５０として記述されうる。ホストコンピュータ１１３０および接続されたＵＥ１１９１、１１９２は、アクセスネットワーク１１１１、コアネットワーク１１１４、任意の中間ネットワーク１１２０、および可能なさらなるインフラストラクチャ（図示せず）を媒介として使用して、ＯＴＴコネクション１１５０を介してデータおよび／または信号を通信するように構成される。ＯＴＴコネクション１１５０は、ＯＴＴコネクション１１５０が通過する参加通信デバイスがアップリンク通信およびダウンリンク通信のルーティングに気付かないという意味で、トランスペアレントであり得る。例えば、基地局１１１２は接続されたＵＥ１１９１に転送される（例えば、ハンドオーバされる）ためにホストコンピュータ１１３０から発信されるデータをもつ入来ダウンリンク通信の過去のルーティングについて知らされる必要はない。同様に、基地局１１１２は、ＵＥ１１９１からホストコンピュータ１１３０へ向かう発信アップリンク通信の将来のルーティングを認識する必要はない。
【０１２５】
実施例は上記の実施形態に従い、図１２を参照して、本節で説明したＵＥ、基地局およびホストコンピュータの具体化に従い、通信システム３３００では、ホストコンピュータ３３１０が通信システム３３００の異なる通信装置のインターフェースと有線または無線の接続を設定し維持するように構成された通信インターフェース３３１６を含むハードウェア３３１５を構成する。通信システム１２００では、ホストコンピュータ１２１０が通信システム１２００の異なる通信デバイスのインターフェースとの有線または無線接続をセットアップおよび維持するように構成された通信インターフェース１２１６を含むハードウェア１２１５を備える。ホストコンピュータ１２１０は、記憶および／または処理能力を有することができる処理回路１２１８をさらに備える。具体的には、処理回路１２１８が命令を実行するように適合された１つ以上のプログラマブルプロセッサ、ＡＳＩＣ、ＦＰＧＡ、またはこれらの組合せ（図示せず）を備えることができる。ホストコンピュータ１２１０はさらにソフトウェア１２１１を構成し、それがホストコンピュータ１２１０に記憶されるか、アクセス可能であり、処理回路１２１８によって実行可能である。ソフトウェア１２１１は、ホストアプリケーション１２１２を含む。ホストアプリケーション１２１２は、ＵＥ１２３０およびホストコンピュータ１２１０で終端するＯＴＴコネクション１２５０を介してコネクションするＵＥ１２３０などのリモートユーザにサービスを提供するように動作可能であってもよい。リモートユーザにサービスを提供する際に、ホストアプリケーション１２１２は、ＯＴＴコネクション１２５０を使用して送信されるユーザデータを提供することができる。
【０１２６】
通信システム１２００はさらに、遠隔通信システム内に設けられ、ホストコンピュータ１２１０およびＵＥ１２３０と通信することを可能にするハードウェア１２２５を含む基地局１２２０を含む。ハードウェア１２２５は、通信システム１２００の異なる通信デバイスのインターフェースとの有線または無線接続をセットアップおよび維持するための通信インターフェース１２２６、ならびに基地局１２２０によってサービスされるカバレッジエリア（図１２には示されていない）内に位置するＵＥ１２３０との少なくとも無線接続１２７０をセットアップおよび維持するための無線インターフェース１２２７を含み得る。通信インターフェース１２２６は、ホストコンピュータ１２１０へのコネクション１２６０を容易にするように構成することができる。コネクション１２６０は直接的であってもよいし、電気通信システムのコアネットワーク（図１２には示されていない）を通過してもよいし、および／または電気通信システムの外部の１つ以上の中間ネットワークを通過してもよい。図示の実施形態では、基地局１２２０のハードウェア１２２５が命令を実行するように適合された１つ以上のプログラマブルプロセッサ、ＡＳＩＣ、ＦＰＧＡ、またはこれらの組合せ（図示せず）を備えることができる処理回路１２２８をさらに含む。さらに、基地局１２２０は、内部に記憶されるか、または外部接続を介してアクセス可能なソフトウェア１２２１を有する。
【０１２７】
通信システム１２００は、既に言及したＵＥ１２３０をさらに含む。そのハードウェア１２３５はＵＥ１２３０が現在位置するカバレッジエリアにサービスを提供する基地局との無線接続１２７０をセットアップし、維持するように構成された無線インターフェース１２３７を含み得る。ＵＥ１２３０のハードウェア１２３５は、命令を実行するように適合された１つ以上のプログラマブルプロセッサ、ＡＳＩＣ、ＦＰＧＡ、またはこれらの組合せ（図示せず）を備えることができる処理回路１２３８をさらに含む。ＵＥ１２３０はさらにソフトウェア１２３１を構成し、これらはＵＥ１２３０内に記憶されるかアクセス可能であり、また、処理回路１２３８によって実行可能である。ソフトウェア１２３１は、クライアントアプリケーション１２３２を含む。クライアントアプリケーション１２３２は、ホストコンピュータ１２１０のサポートを受けて、ＵＥ１２３０を介して人間または非人間のユーザにサービスを提供するように動作可能である。ホストコンピュータ１２１０において、実行中のホストアプリケーション１２１２は、ＵＥ１２３０およびホストコンピュータ１２１０で終了するＯＴＴコネクション１２５０を介して実行中のクライアントアプリケーション１２３２と通信することができる。ユーザにサービスを提供する際に、クライアントアプリケーション１２３２はホストアプリケーション１２１２から要求データを受信し、要求データに応答してユーザデータを提供することができる。ＯＴＴコネクション１２５０は、要求データおよびユーザデータの両方を転送することができる。クライアントアプリケーション１２３２は、ユーザと対話して、ユーザが提供するユーデータを生成することができる。
【０１２８】
図１２に示されるホストコンピュータ１２１０、基地局１２２０、およびＵＥ１２３０は、それぞれ、ホストコンピュータ１１３０、基地局１１１２ａ、１１１２ｂ、１１１２ｃのうちの１つ、および図１１のＵＥ１１９１、１１９２のうちの１つと類似または同一であり得ることに留意されたい。すなわち、これらのエンティティの内部動作は図１２に示されるようなものであってもよく、独立して、周囲のネットワークトポロジは図１１のものであってもよい。
【０１２９】
図１２ではＯＴＴコネクション１２５０を抽象的に描いて、基地局１２２０を介したホストコンピュータ１２１０とＵＥ１２３０との間の通信を示すが、任意の中間デバイスおよびこれらのデバイスを介したメッセージの正確なルーティングを明示的に参照することはない。ネットワークインフラストラクチャはルーティングを決定してもよく、ルーティングはＵＥ１２３０から、またはサービスプロバイダオペレーティングホストコンピュータ１２１０から、あるいはその両方から隠すように構成されてもよい。ＯＴＴコネクション１２５０がアクティブである間、ネットワークインフラストラクチャは（例えば、負荷分散の考慮またはネットワークの再構成に基づいて）ネットワークインフラストラクチャがルーティングを動的に変更する決定をさらに行うことができる。
【０１３０】
ＵＥ１２３０と基地局１２２０との間の無線接続１２７０は、本開示全体にわたって説明される実施形態の教示に従う。様々な実施形態のうちの１つまたは複数は、無線接続１２７０が最後のセグメントを形成するＯＴＴコネクション１２５０を使用して、ＵＥ１２３０に提供されるＯＴＴサービスの性能を改善する。より正確には、これらの実施形態の教示がデータ速度、待ち時間、および電力消費を改善することができ、それによって、例えば、ユーザ待ち時間の減少、応答性の向上、およびバッテリ寿命の延長などの利点が得られる。
【０１３１】
１つ以上の実施形態が改善するデータレート、レイテンシ（待ち時間）、および他の要因を監視する目的で、測定手順を提供することができる。さらに、測定結果の変動に応答して、ホストコンピュータ１２１０とＵＥ１２３０との間のＯＴＴコネクション１２５０を再構成するためのオプションのネットワーク機能があってもよい。ＯＴＴコネクション１２５０を再構成するための測定手順および／またはネットワーク機能は、ホストコンピュータ１２１０のソフトウェア１２１１およびハードウェア１２１５、またはソフトウェア１２３１およびＵＥ１２３０のハードウェア１２３５、あるいはその両方で実施することができる。いくつかの実施形態ではセンサ（図示せず）がＯＴＴコネクション１２５０が通過する通信デバイス内に、またはそれに関連して配備することができ、センサは上で例示した監視量の値を供給することによって、またはソフトウェア１２１１、１２３１が監視量を計算または推定することができる他の物理量の値を供給することによって、測定手順に関与することができる。ＯＴＴコネクション１２５０の再構成はメッセージフォーマット、再送信設定、好ましいルーティングなどを含むことができ、再構成は、基地局１２２０に影響を及ぼす必要はなく、基地局１２２０には知られていないか、または知覚できないことがある。このような手順および機能性は当技術分野で公知であり、実践され得る。特定の実施形態では、測定がホストコンピュータ１２１０のスループット、伝搬時間、待ち時間などの測定を容易にする独自のＵＥシグナリングを含むことができる。測定は、ソフトウェア１２１１および１２３１が伝搬時間、エラーなどを監視しながら、ＯＴＴコネクション１２５０を使用して、メッセージ、特に空または「ダミー」メッセージを送信させることによって実施することができる。
【０１３２】
図１３は、一実施形態による、通信システムにおいて実施される方法を示すフローチャートである。通信システムは、ホストコンピュータ、基地局、および図１１および図１２を参照して説明したＵＥを含む。本開示を簡単にするために、図１３に対する図面参照のみがこのセクションに含まれる。ステップ１３１０において、ホストコンピュータはユーザデータを提供する。ステップ１３１０のサブステップ１３１１（オプションであってもよい）では、ホストコンピュータがホストアプリケーションを実行することによってユーザデータを提供する。ステップ１３２０において、ホストコンピュータは、ユーザデータをＵＥに搬送する送信を開始する。ステップ１３３０（任意であってもよい）において、基地局は、本開示全体にわたって説明される実施形態の教示に従って、ホストコンピュータが開始した送信において搬送されたユーザデータをＵＥに送信する。ステップ１３４０（オプションであってもよい）において、ＵＥは、ホストコンピュータによって実行されるホストアプリケーションに関連付けられたクライアントアプリケーションを実行する。
【０１３３】
図１４は、一実施形態による、通信システムにおいて実施される方法を示すフローチャートである。通信システムは、ホストコンピュータ、基地局、および図１１および図１２を参照して説明したＵＥを含む。本開示を簡単にするために、図１４に対する図面参照のみがこのセクションに含まれる。本方法のステップ１４１０において、ホストコンピュータはユーザデータを提供する。任意のサブステップ（図示せず）において、ホストコンピュータがホストアプリケーションを実行することによってユーザデータを提供する。ステップ１４２０において、ホストコンピュータは、ユーザデータをＵＥに搬送する送信を開始する。送信は、本開示全体にわたって説明される実施形態の教示に従って、基地局を介して渡され得る。ステップ１４３０（任意であってもよい）において、ＵＥは、送信において運ばれるユーザデータを受信する。
【０１３４】
図１５は、一実施形態による、通信システムにおいて実施される方法を示すフローチャートである。通信システムは、ホストコンピュータ、基地局、および図１１および図１２を参照して説明したＵＥを含む。本開示を簡単にするために、図１５に対する図面参照のみがこのセクションに含まれる。ステップ１５１０（任意選択であってもよい）において、ＵＥは、ホストコンピュータによって提供された入力データを受信する。さらに、または代替的に、ステップ１５２０で、ＵＥはユーザデータを提供する。ステップ１５２０のサブステップ１５２１（任意選択であってもよい）において、ＵＥは、クライアントアプリケーションを実行することによってユーザデータを提供する。ステップ１５１０のサブステップ１５１１（オプションであってもよい）において、ＵＥは、ホストコンピュータによって提供された受信入力データに応答してユーザデータを提供するクライアントアプリケーションを実行する。ユーザデータを提供する際に、実行されるクライアントアプリケーションは、ユーザから受け取ったユーザ入力をさらに考慮することができる。ユーザデータが提供された特定の方法にかかわらず、ＵＥは、サブステップ１５３０において、ユーザデータのホストコンピュータへの送信を開始する。本方法のステップ１５４０において、ホストコンピュータは、本開示全体にわたって説明される実施形態の教示に従って、ＵＥから送信されたユーザデータを受信する。
【０１３５】
図１６は、一実施形態による、通信システムにおいて実施される方法を示すフローチャートである。通信システムは、ホストコンピュータ、基地局、および図１１および図１２を参照して説明したＵＥを含む。本開示を簡単にするために、図１６に対する図面参照のみがこのセクションに含まれる。ステップ１６１０（オプションであってもよい）において、本開示全体にわたって説明される実施形態の教示に従って、基地局は、ＵＥからユーザデータを受信する。ステップ１６２０（任意選択でよい）において、基地局は、受信されたユーザデータのホストコンピュータへの送信を開始する。ステップ１６３０（任意であってもよい）において、ホストコンピュータは、基地局によって開始された送信において運ばれるユーザデータを受信する。
【０１３６】
本明細書で開示される任意の適切なステップ、方法、特徴、機能、または利益は、１つ以上の仮想装置の１つ以上の機能ユニットまたはモジュールを介して実行され得る。各仮想装置は、いくつかのこれらの機能ユニットを備えることができる。これらの機能ユニットは、１つ以上のマイクロプロセッサまたはマイクロコントローラを含むことができる処理回路、ならびにＤＳＰ、専用デジタルロジックを含むことができる他のデジタルハードウェアを介して実装することができる。処理回路は、ＲＯＭ、ＲＡＭ、キャッシュメモリ、フラッシュメモリデバイス、光記憶デバイスなどの１つまたはいくつかのタイプのメモリを含み得る、メモリに格納されたプログラムコードを実行するように構成され得る。メモリに格納されたプログラムコードは、いくつかの実施形態では１つ以上の電気通信および／またはデータ通信プロトコルを実行するためのプログラム命令、ならびに本明細書で説明される技法のうちの１つまたは複数を実行するための命令を含む。いくつかの実装形態では、処理回路がそれぞれの機能ユニットに、本開示の１つ以上の実施形態による対応する機能を実行させるために使用され得る。
【０１３７】
略語
本開示では、以下の略語の少なくともいくつかを使用することができる。略号間に不一致がある場合、それが上記でどのように使用されるかが優先されるべきである。以下に複数回列挙される場合、最初の列挙は、その後の任意の列挙よりも優先されるべきである。
・2G  Second Generation
・3G  Third Generation
・3GPP  Third Generation Partnership Project
・4G  Fourth Generation
・5G  Fifth Generation 
・AC  Alternating Current
・AP  Access Point 
・ARFCN  Absolute Radio Frequency Channel Number
・ASIC  Application Specific Integrated Circuit
・ATM  Asynchronous Transfer Mode
・BS  Base Station
・BSC  Base Station Controller
・BTS  Base Transceiver Station
・CD  Compact Disk
・CDMA  Code Division Multiple Access
・COTS  Commercial Off-the-Shelf
・CPE  Customer Premise Equipment
・CPU  Central Processing Unit
・CQD  Cell Quality Derivation
・CSI-RS  Channel State Information Reference Signal
・D2D  Device-to-Device
・DAS  Distributed Antenna System
・DC  Direct Current
・DIMM  Dual In-line Memory Module
・DL  Downlink
・DSP   Digital Signal Processor
・DVD   Digital Video Disk
・EEPROM  Electrically Erasable Programmable Read Only Memory
・eNB   Evolved Node B
・EPROM  Erasable Programmable Read Only Memory
・E-SMLC  Evolved Serving Mobile Location Center
・FPGA  Field Programmable Gate Array
・GHz  Gigahertz
・gNB   New Radio Base Station
・GPS   Global Positioning System
・GSCN  Global Synchronization Channel Number
・GSM  Global System for Mobile Communications
・HDDS  Holographic Digital Data Storage
・HD-DVD  High-Density Digital Video Disk
・IE  Information Element
・I/O  Input and Output
・IoT  Internet of Things
・IP  Internet Protocol
・kHz  Kilohertz
・LAN  Local Area Network
・LEE  Laptop Embedded Equipment
・LME  Laptop Mounted Equipment
・LTE  Long Term Evolution
・M2M  Machine-to-Machine
・MANO  Management and Orchestration
・MCE  Multi-Cell/Multicast Coordination Entity
・MDT  Minimization of Drive Tests
・MIMO  Multiple Input Multiple Output
・MME  Mobility Management Entity
・MO  Measurement Object
・ms  Millisecond
・MSC  Mobile Switching Center
・MSR  Multi-Standard Radio
・MTC  Machine Type Communication
・NB-IoT  Narrowband Internet of Things
・NFV  Network Function Virtualization
・NIC  Network Interface Controller
・NR  New Radio
・NR-PBCH  New Radio Physical Broadcast Channel
・NR-PSS  New Radio Primary Synchronization Signal
・NR-SSS  New Radio Secondary Synchronization Signal
・O&M  Operation and Maintenance
・OFDM  Orthogonal Frequency Division Multiplexing
・OSS  Operations Support System
・OTT   Over-the-Top
・PBCH  Physical Broadcast Channel
・PCell  Primary Cell
・PDA  Personal Digital Assistant
・PRB  Physical Resource Block
・PROM  Programmable Read Only Memory
・PSCell  Primary Secondary Cell
・PSTN  Public Switched Telephone Network
・RAID  Redundant Array of Independent Disks
・RAM  Random Access Memory
・RAN  Radio Access Network
・RAT  Radio Access Technology
・RF  Radio Frequency
・RNC  Radio Network Controller
・ROM  Read Only Memory
・RRC  Radio Resource Control
・RRH  Remote Radio Head
・RRM  Radio Resource Management
・RRU  Remote Radio Unit
・RS  Reference Signal
・RUIM  Removable User Identity
・SCell  Secondary Cell
・SDRAM  Synchronous Dynamic Random Access Memory
・SIM  Subscriber Identity Module
・SMTC  SS/PBCH Block Measurement Time Configuration
・SOC   System on a Chip
・SON   Self-Organizing Network
・SONET  Synchronous Optical Networking
・SS  Synchronization Signal
・SSB  Synchronization Signal / Physical Broadcast Channel Block
・TS  Technical Specification
・UE  User Equipment
・UMTS  Universal Mobile Telecommunications System
・USB  Universal Serial Bus
・UTRAN  Universal Terrestrial Radio Access Network
・VMM  Virtual Machine Monitor
・VNE  Virtual Network Element
・VNF  Virtual Network Function
・VoIP  Voice over Internet Protocol
・WAN  Wide Area Network
・WCDMA  Wideband Code Division Multiple Access
・WD  Wireless Device
・WiMax  Worldwide Interoperability for Microwave Access
・WLAN  Wireless Local Area Network
【０１３８】
当業者は、本開示の実施形態に対する改良および修正を認識するのであろう。全てのそのような改良及び修正は、本明細書に開示された概念の範囲内にあると考えられる。
【図１】
2021520669.tif 000014
【図２Ａ】
2021520669.tif 000015
【図２Ｂ】
2021520669.tif 000016
【図３】
2021520669.tif 000017
【図４Ａ】
2021520669.tif 000018
【図４Ｂ】
2021520669.tif 000019
【図５】
2021520669.tif 000020
【図６】
2021520669.tif 000021
【図７】
2021520669.tif 000022
【図８】
2021520669.tif 000023
【図９】
2021520669.tif 000024
【図１０】
2021520669.tif 000025
【図１１】
2021520669.tif 000026
【図１２】
2021520669.tif 000027
【図１３】
2021520669.tif 000028
【図１４】
2021520669.tif 000029
【図１５】
2021520669.tif 000030
【図１６】
2021520669.tif 000031
【国際調査報告】
2021520669.tif 000032
2021520669.tif 000033